(57)【要約】【課題】ユーザ毎にレジューム再生を行うことができるようにすること。【解決手段】映像記録媒体読出装置１０１を介して、映像記録媒体１３０から再生映像記録媒体識別情報を読み出す再生制御部１１７と、レジューム情報を格納する外部記録媒体１３１から、このレジューム情報を読み出す外部記録媒体読書装置１１３と、映像再生装置１００のユーザより再生ユーザ識別情報を取得するユーザ識別情報取得部１１８と、再生映像記録媒体識別情報及び再生ユーザ識別情報と、レジューム情報に含まれるレジューム映像記録媒体識別情報及びレジュームユーザ識別情報とを照合し、実行可能なレジューム情報を特定するレジューム情報照合部１１９と、を備え、再生制御部１１７は、実行可能なレジューム情報に含まれる再生中断位置情報で示される再生位置より、映像の再生を再開する。【選択図】図１
2012034177.tif 000002
【特許請求の範囲】
【請求項１】
再生対象の映像記録媒体から情報を読み出す読出部と、
前記読出部を用いて、前記再生対象の映像記録媒体から当該映像記録媒体を識別する再生映像記録媒体識別情報を読み出す処理、及び前記読出部を用いて、前記再生対象の映像記録媒体から映像ストリームを読み出し、当該映像ストリームに対応する出力映像データを表示部に出力することで、当該映像ストリームに対応する映像を再生する処理を制御する再生制御部と、
レジュームユーザ識別情報、レジューム映像記録媒体識別情報、及び前記レジュームユーザ識別情報で識別されるユーザが前記レジューム映像記録媒体識別情報で識別される映像記録媒体から読み出された映像ストリームに対応する映像の再生が中断された時の、当該映像ストリームにおける再生位置を示す再生中断位置情報を含むレジューム情報を格納する外部記録媒体が挿入され、当該挿入された外部記録媒体から当該レジューム情報を読み出す読書部と、
ユーザを識別する再生ユーザ識別情報を取得するユーザ識別情報取得部と、
前記再生映像記録媒体識別情報及び前記再生ユーザ識別情報と一致する前記レジューム映像記録媒体識別情報及び前記レジュームユーザ識別情報を含むレジューム情報を、実行可能なレジューム情報と判断するレジューム情報照合部と、を備え、
前記再生制御部は、前記実行可能なレジューム情報に含まれる前記再生中断位置情報で示される再生位置より、前記再生対象の映像記録媒体から映像ストリームを読み出し、当該映像ストリームに対応する映像の再生を行うこと
を特徴とする映像再生装置。
【請求項２】
前記映像再生装置のユーザを識別するためのユーザ識別情報を含むユーザ情報のリストを記憶する記憶部を備え、
前記ユーザ識別情報取得部は、前記リストに含まれるユーザ情報に含まれる少なくとも一部の情報を一覧表示する登録ユーザ一覧画面の画面データを作成し、当該登録ユーザ一覧画面を前記表示部に表示させ、当該登録ユーザ一覧画面に基づいて、前記映像再生装置のユーザが選択したユーザ情報に対応するユーザ識別情報を前記再生ユーザ識別情報とすること
を特徴とする請求項１に記載の映像再生装置。
【請求項３】
前記映像再生装置のユーザを識別するためのユーザ識別情報を記憶する記憶部と、当該ユーザ識別情報を送信する送信部と、を備える送信端末から、前記ユーザ識別情報を受信する受信部を備え、
前記ユーザ識別情報取得部は、前記受信部を介して受信した前記ユーザ識別情報を、前記再生ユーザ識別情報とすること
を特徴とする請求項１に記載の映像再生装置。
【請求項４】
前記映像再生装置のユーザより、前記再生対象の映像記録媒体から読み出された映像ストリームに対応する映像の再生を中断する指示があった場合に、前記再生映像記録媒体識別情報を前記レジューム映像記録媒体識別情報とし、前記再生ユーザ識別情報を前記レジュームユーザ識別情報として、当該映像ストリームに対応する映像の再生が中断された時の当該映像ストリームにおける再生位置を示す再生中断位置情報に対応付けて、新たなレジューム情報を構成するレジューム情報構成部を備え、
前記読書部は、前記新たなレジューム情報を前記挿入された外部記録媒体に格納すること
を特徴とする請求項１から３の何れか一項に記載の映像再生装置。
【請求項５】
前記読書部は、前記再生制御部が、前記再生対象の映像記録媒体から読み出された映像ストリームに対応する映像の再生を行う際に使用した前記実行可能なレジューム情報を、前記挿入された外部記録媒体から削除すること
を特徴とする請求項１から４の何れか一項に記載の映像再生装置。
【請求項６】
前記実行可能なレジューム情報に含まれる少なくとも一部の情報を一覧表示するレジューム情報提示メニュー映像情報を生成し、当該レジューム情報提示メニュー映像情報に対応する映像を前記表示部に表示させるメニュー映像生成処理部を備え、
前記再生制御部は、前記レジューム情報提示メニュー映像情報に対応する映像に基づいて、前記映像再生装置のユーザが選択したレジューム情報に含まれる前記再生中断位置情報で示される再生位置より、前記再生対象の映像記録媒体から映像ストリームを読み出し、当該映像ストリームに対応する映像の再生を行うこと
を特徴とする請求項１から５の何れか一項に記載の映像再生装置。
【請求項７】
前記メニュー映像生成処理部は、前記再生制御部が、前記再生対象の映像記録媒体から読み出された映像ストリームに対応する映像の再生を行う際に使用した前記実行可能なレジューム情報を削除するか否かを選択することができるレジューム情報削除選択画面の画面データを生成して、当該レジューム情報削除選択画面を前記表示部に表示させ、前記レジューム情報削除選択画面に基づいて、前記映像再生装置のユーザが、前記実行可能なレジューム情報を削除することを選択したときに、前記読書部に、前記実行可能なレジューム情報を前記挿入された外部記録媒体から削除させること
を特徴とする請求項６に記載の映像再生装置。
【請求項８】
前記映像再生装置のユーザより、前記再生対象の映像記録媒体から読み出された映像ストリームに対応する映像の再生を中断する指示があった場合に、前記再生映像記録媒体識別情報を前記レジューム映像記録媒体識別情報とし、前記再生ユーザ識別情報を前記レジュームユーザ識別情報として、当該映像ストリームに対応する映像の再生を中断した時の当該映像ストリームにおける再生位置を示す再生中断位置情報及び当該再生位置に対応する映像のサムネイル画像に対応付けて、新たなレジューム情報を構成するレジューム情報構成部を備え、
前記読書部は、前記新たなレジューム情報を前記挿入された外部記録媒体に格納すること
を特徴とする請求項６又は７に記載の映像再生装置。
【請求項９】
再生対象の映像記録媒体から情報を読み出す読出部と、
前記読出部を用いて、前記再生対象の映像記録媒体から当該映像記録媒体を識別する再生映像記録媒体識別情報を読み出す処理、及び前記読出部を用いて、前記再生対象の映像記録媒体から映像ストリームを読み出し、当該映像ストリームに対応する出力映像データを表示部に出力することで、当該映像ストリームに対応する映像を再生する処理を制御する再生制御部と、
レジュームユーザ識別情報、レジューム映像記録媒体識別情報、及び前記レジュームユーザ識別情報で識別されるユーザが前記レジューム映像記録媒体識別情報で識別される映像記録媒体から読み出された映像ストリームに対応する映像の再生が中断された時の当該映像ストリームにおける再生位置を示す再生中断位置情報を含むレジューム情報を格納する記録装置から、ネットワークを介して、当該レジューム情報を受信する送受信部と、
前記再生対象の映像記録媒体から読み出される映像ストリームに対応する映像を再生するユーザより、当該ユーザを識別する再生ユーザ識別情報を取得するユーザ識別情報取得部とを備え、
前記再生制御部は、前記再生映像記録媒体識別情報及び前記再生ユーザ識別情報と一致する前記レジューム映像記録媒体識別情報及び前記レジュームユーザ識別情報を含むレジューム情報に含まれる前記再生中断位置情報で示される再生位置より、前記再生対象の映像記録媒体から読み出された映像ストリームを読み出し、当該映像ストリームに対応する映像の再生を行うこと
を特徴とする映像再生装置。
【請求項１０】
前記送受信部は、前記再生映像記録媒体識別情報及び前記再生ユーザ識別情報を含むレジューム情報送信要求を前記記録装置に送信し、
前記記録装置は、前記レジューム情報送信要求に含まれる前記再生映像記録媒体識別情報及び前記再生ユーザ識別情報と一致する前記レジューム映像記録媒体識別情報及び前記レジュームユーザ識別情報を含むレジューム情報を前記映像再生装置に送信すること
を特徴とする請求項９に記載の映像再生装置。
【請求項１１】
前記再生映像記録媒体識別情報及び前記再生ユーザ識別情報と一致する前記レジューム映像記録媒体識別情報及び前記レジュームユーザ識別情報を含むレジューム情報を、実行可能なレジューム情報と判断するレジューム情報照合部と、を備え、
前記再生制御部は、前記実行可能なレジューム情報に含まれる前記再生中断位置情報で示される再生位置より、前記再生対象の映像記録媒体から読み出された映像ストリームを読み出し、当該映像ストリームに対応する映像の再生を行うこと
を特徴とする請求項９に記載の映像再生装置。
【請求項１２】
前記映像再生装置のユーザより、前記再生対象の映像記録媒体から読み出された映像ストリームに対応する映像の再生を中断する指示があった場合に、前記再生映像記録媒体識別情報を前記レジューム映像記録媒体識別情報とし、前記再生ユーザ識別情報を前記レジュームユーザ識別情報として、当該映像ストリームに対応する映像の再生を中断した時の当該映像ストリームにおける再生位置を示す再生中断位置情報に対応付けて、新たなレジューム情報を構成するレジューム情報構成部を備え、
前記送受信部は、前記新たなレジューム情報を前記記憶装置に送信すること
を特徴とする請求項９から１１の何れか一項に記載の映像再生装置。
【請求項１３】
読出部に再生対象の映像記録媒体に格納された映像ストリームを読み出し、当該映像ストリームに対応する出力映像データを表示部に出力して、当該出力映像データに対応する映像を前記表示部に表示させることで、当該映像ストリームに対応する映像を再生する映像再生方法であって、
再生制御部が、前記再生対象の映像記録媒体から当該映像記録媒体を識別する再生映像記録媒体識別情報を読み出す処理を行う再生映像記録媒体識別情報読出過程と、
読書部が、挿入された外部記録媒体から、レジュームユーザ識別情報、レジューム映像記録媒体識別情報、及び前記レジュームユーザ識別情報で識別されるユーザが前記レジューム映像記録媒体識別情報で識別される映像記録媒体から読み出された映像ストリームに対応する映像の再生を中断した時の当該映像ストリームにおける再生位置を示す再生中断位置情報を含むレジューム情報を読み出すレジューム情報読出過程と、
ユーザ識別情報取得部が、ユーザを識別する再生ユーザ識別情報を取得する再生ユーザ識別情報取得過程と、
レジューム情報照合部が、前記再生映像記録媒体識別情報及び前記再生ユーザ識別情報と一致する前記レジューム映像記録媒体識別情報及び前記レジュームユーザ識別情報を含むレジューム情報を、実行可能なレジューム情報と判断する実行可能レジューム情報判断過程と、
前記再生制御部が、前記実行可能なレジューム情報に含まれる前記再生中断位置情報で示される再生位置より、前記再生対象の映像記録媒体から映像ストリームを読み出し、当該映像ストリームに対応する映像の再生を行う再生再開過程と、を有すること
を特徴とする映像再生方法。
【請求項１４】
前記映像再生装置のユーザより、前記再生対象の映像記録媒体から読み出された映像ストリームに対応する映像の再生を中断する指示があった場合に、レジューム情報構成部が、前記再生映像記録媒体識別情報を前記レジューム映像記録媒体識別情報とし、前記再生ユーザ識別情報を前記レジュームユーザ識別情報として、当該映像ストリームに対応する映像の再生を中断した時の当該映像ストリームにおける再生位置を示す再生中断位置情報に対応付けて、新たなレジューム情報を構成するレジューム情報構成過程と、
前記読書部が、前記新たなレジューム情報を前記挿入された外部記録媒体に格納するレジューム情報格納過程と、を有すること
を特徴とする請求項１３に記載の映像再生方法。
【請求項１５】
メニュー映像再生処理部は、前記実行可能なレジューム情報に含まれる少なくとも一部の情報を一覧表示するレジューム情報提示メニュー映像情報を生成し、当該レジューム情報提示メニュー映像情報に対応する映像を前記表示部に表示させる過程と、
前記再生制御部は、前記再生再開過程において、前記レジューム情報提示メニュー映像情報に対応する映像に基づいて、前記映像再生装置のユーザが選択したレジューム情報に含まれる前記再生中断位置情報で示される再生位置より、前記再生対象の映像記録媒体から映像ストリームを読み出し、当該映像ストリームに対応する映像の再生を行うこと
を特徴とする請求項１３又は１４に記載の映像再生方法。
【請求項１６】
読出部に再生対象の映像記録媒体に格納された映像ストリームを読み出し、当該映像ストリームに対応する出力映像データを表示部に出力して、当該出力映像データに対応する映像を前記表示部に表示させることで、当該映像ストリームに対応する映像を再生する映像再生方法であって、
再生制御部が、前記再生対象の映像記録媒体から当該映像記録媒体を識別する再生映像記録媒体識別情報を読み出す再生映像記録媒体識別情報読出過程と、
送受信部が、レジュームユーザ識別情報、レジューム映像記録媒体識別情報、及び前記レジュームユーザ識別情報で識別されるユーザが前記レジューム映像記録媒体識別情報で識別される映像記録媒体から読み出された映像ストリームに対応する映像の再生を中断した時の当該映像ストリームにおける再生位置を示す再生中断位置情報を含むレジューム情報を格納する記録装置から、ネットワークを介して、当該レジューム情報を受信するレジューム情報受信過程と、
ユーザ識別情報取得部が、ユーザより、当該ユーザを識別する再生ユーザ識別情報を取得するユーザ識別情報取得過程と、
前記再生制御部が、前記再生映像記録媒体識別情報及び前記再生ユーザ識別情報と一致する前記レジューム映像記録媒体識別情報及び前記レジュームユーザ識別情報を含むレジューム情報に含まれる前記再生中断位置情報で示される再生位置より、前記再生対象の映像記録媒体から映像ストリームを読み出し、当該映像ストリームに対応する映像の再生を行う再生再開過程と、を有すること
を特徴とする映像再生方法。
【請求項１７】
前記映像再生装置のユーザより、前記再生対象の映像記録媒体から読み出された映像ストリームに対応する映像の再生を中断する指示があった場合に、レジューム情報構成部が、前記再生映像記録媒体識別情報を前記レジューム映像記録媒体識別情報とし、前記再生ユーザ識別情報を前記レジュームユーザ識別情報として、当該映像ストリームに対応する映像の再生を中断した時の当該映像ストリームの再生位置を示す再生中断位置情報に対応付けて、新たなレジューム情報を構成するレジューム情報構成過程と、
前記送受信部が、前記新たなレジューム情報を前記記憶装置に送信するレジューム情報送信過程と、を有すること
を特徴とする請求項１６に記載の映像再生方法。
【発明の詳細な説明】
【技術分野】
【０００１】
この発明は、映像再生装置及び映像再生方法に関する。
【背景技術】
【０００２】
映像再生装置では、近年、ＢＤ（Ｂｌｕ−ｒａｙ  Ｄｉｓｃ（登録商標））やＤＶＤ（Ｄｉｇｉｔａｌ  Ｖｅｒｓａｔｉｌｅ  Ｄｉｓｃ）といった光ディスクのみならず、ＳＤカード等の読み書き可能な記録媒体に格納された映像ストリームファイルを取り扱えるものが増加している。このため、映像再生装置であっても、情報を記録することが可能になってきている。このような読み書き可能な記録媒体を利用して、ある映像再生装置Ａにおいて映像の再生を中断した際に、再生を中断した位置等を含む情報をこの記録媒体に保存し、映像再生装置Ｂでこの映像を再生する時に、この記録媒体に保存された情報を参照することで、映像再生装置Ａで再生を中断した位置から映像再生装置Ｂで視聴を再開（レジューム再生）することが可能となる。
このように複数の映像再生装置間でレジューム再生のための情報を共有する技術としては、例えば、特許文献１に、可搬性の外部記録媒体又はネットワーク上の記録装置を用いることで、複数の映像再生装置間での再生位置情報や光ディスクに含まれるアプリケーションの実行状態情報の共有を可能にする技術が記載されている。
【先行技術文献】
【特許文献】
【０００３】
【特許文献１】国際公開第２００９／１５７１６３号
【発明の概要】
【発明が解決しようとする課題】
【０００４】
特許文献１に記載された技術は、ある映像再生装置での再生中断時の情報を、他の映像再生装置での再生で用いる場合に、再生中断を行ったユーザと再生再開を行うユーザとが異なる状況を想定していない。このため、例えば、ユーザＸがある映像記録媒体に記録された映像の再生を中断した後に、別のユーザＹがこの映像記録媒体に記録された映像の再生を行った場合、ユーザＹが視聴しているにも拘わらず、ユーザＸが再生を中断した際のアプリケーション実行状態等が再現されてしまうという問題がある。
【０００５】
そこで、本発明は、このような課題を解決するためになされたもので、ユーザ毎にレジューム再生を行うことができるようにすることを目的とする。また、本発明は、複数の映像再生装置を使用する場合にも、ユーザ毎にレジューム再生を行うことができるようにすることを目的とする。
【課題を解決するための手段】
【０００６】
本発明に係る映像再生装置は、再生対象の映像記録媒体から情報を読み出す読出部と、前記読出部を用いて、前記再生対象の映像記録媒体から当該映像記録媒体を識別する再生映像記録媒体識別情報を読み出す処理、及び前記読出部を用いて、前記再生対象の映像記録媒体から映像ストリームを読み出し、当該映像ストリームに対応する出力映像データを表示部に出力することで、当該映像ストリームに対応する映像を再生する処理を制御する再生制御部と、レジュームユーザ識別情報、レジューム映像記録媒体識別情報、及び前記レジュームユーザ識別情報で識別されるユーザが前記レジューム映像記録媒体識別情報で識別される映像記録媒体から読み出された映像ストリームに対応する映像の再生が中断された時の、当該映像ストリームにおける再生位置を示す再生中断位置情報を含むレジューム情報を格納する外部記録媒体が挿入され、当該挿入された外部記録媒体から当該レジューム情報を読み出す読書部と、ユーザより、当該ユーザを識別する再生ユーザ識別情報を取得するユーザ識別情報取得部と、前記再生映像記録媒体識別情報及び前記再生ユーザ識別情報と一致する前記レジューム映像記録媒体識別情報及び前記レジュームユーザ識別情報を含むレジューム情報を、実行可能なレジューム情報と判断するレジューム情報照合部と、を備え、前記再生制御部は、前記実行可能なレジューム情報に含まれる前記再生中断位置情報で示される再生位置より、前記再生対象の映像記録媒体から映像ストリームを読み出し、当該映像ストリームに対応する映像の再生を行うことを特徴とする。
【発明の効果】
【０００７】
本発明によれば、ユーザ毎にレジューム再生を行うことができる。また、本発明によれば、複数の映像再生装置を使用する場合にも、ユーザ毎にレジューム再生を行うことができる。
【図面の簡単な説明】
【０００８】
【図１】実施の形態１における映像再生装置の概略的な構成を示すブロック図である。
【図２】実施の形態１におけるレジューム情報ファイルの構造の一例を示す概略図である。
【図３】実施の形態１における再生開始時の動作を示すフローチャートである。
【図４】実施の形態１における再生ユーザ識別情報取得処理を示すフローチャートである。
【図５】実施の形態１における再生中断時のレジューム情報書込み処理を示すフローチャートである。
【図６】実施の形態１におけるユーザ情報を登録する処理を示すフローチャートである。
【図７】実施の形態２における映像再生装置の概略的な構成を示すブロック図である。
【図８】実施の形態２における送信端末の概略的な構成を示すブロック図である。
【図９】実施の形態２における再生ユーザ識別情報の取得処理を示すフローチャートである。
【図１０】実施の形態３における映像再生装置の概略的な構成を示すブロック図である。
【図１１】実施の形態３におけるメニュー画面構成情報の一例を示す概略図である。
【図１２】実施の形態３におけるレジューム情報提示メニュー映像を示す概略図である。
【図１３】実施の形態３における再生開始時の動作を示すフローチャート（その１）である。
【図１４】実施の形態３における再生開始時の動作を示すフローチャート（その２）である。
【図１５】実施の形態４における映像再生装置の概略的な構成を示すブロック図である。
【図１６】実施の形態４における情報記録装置の概略的な構成を示すブロック図である。
【図１７】実施の形態４における再生開始の動作を示すフローチャートである。
【図１８】実施の形態４における再生中断時の処理を示すフローチャートである。
【発明を実施するための形態】
【０００９】
実施の形態１．
実施の形態１では、外部記録媒体に記録された単数又は複数のレジューム情報を用いてレジューム再生を実行可能な映像再生装置、及びこの装置によって実行可能な映像再生方法について説明する。図１は、実施の形態１における映像再生装置１００の概略的な構成を示すブロック図である。映像再生装置１００は、映像記録媒体読出装置１０１と、バッファ１０２と、デマルチプレクサ１０３と、音声データデコーダ１０４と、映像データデコーダ１０５と、字幕データデコーダ１０６と、インタラクティブデータデコーダ１０７と、重畳部１０８と、フレームバッファ１０９と、出力制御部１１０と、操作部１１１と、操作検出部１１２と、外部記録媒体読書装置１１３と、ＲＡＭ１１４と、ＲＯＭ１１５と、ＣＰＵ１１６とを備える。ここで、操作部１１１及び操作検出部１１２により入力部が構成され、ＲＡＭ１１４及びＲＯＭ１１５により記憶部が構成される。また、ＣＰＵ１１６により制御部が構成される。
さらに、図１には、映像記録媒体１３０と、外部記録媒体１３１とが示されている。
【００１０】
映像記録媒体１３０は、映像ストリームデータの映像ストリームファイルを格納する記録媒体である。映像記録媒体１３０としては、ＢＤ、ＤＶＤ等の光ディスクが用いられるが、可搬型記録装置（例えば、ＵＳＢ接続型記録機器、フラッシュメモリ等）が用いられてもよい。また、映像ストリームデータは、多くの場合、ＭＰＥＧ２その他の方式により圧縮符号化されているが、圧縮符号化されていないときもある。さらに、映像ストリームデータは、暗号化されている場合もある。この映像記録媒体１３０には、格納された番組内容に応じて一意の映像記録媒体識別情報が与えられているものとする。例えば、ＢＤ−ＲＯＭの場合、ファイルｉｄ．ｂｄｍｖ内に１２８ビットのｄｉｓｃＩＤが格納されており、このｄｉｓｃＩＤが映像記録媒体識別情報として用いられる。あるいは、映像記録媒体１３０に格納されているデータ、例えば、番組名又は映像ストリームの一部等からハッシュ値を作成し、このハッシュ値が映像記録媒体識別情報として用いられてもよい。
【００１１】
映像記録媒体読出装置１０１は、映像記録媒体１３０からのデータの読み出しを実行する読出部である。例えば、映像記録媒体読出装置１０１は、映像記録媒体１３０がＢＤ、ＤＶＤ、ＣＤ等の光ディスクである場合には、光ディスクからのデータ読み出しが可能な光ディスクドライブであり、映像記録媒体１３０がＵＳＢ接続型記録機器である場合には、ＵＳＢ接続型記録機器の読み書き装置であり、映像記録媒体１３０がフラッシュメモリ型記録媒体である場合には、フラッシュメモリ型記録媒体の読み書き装置である。映像記録媒体読出装置１０１は、ＣＰＵ１１６からの制御信号を受けて、映像記録媒体１３０の指定されたファイルの読み出しを行う。また、映像記録媒体読出装置１０１は、ＣＰＵ１１６からの制御信号を受けて、指定されたファイルの、指定された位置にあるデータの読み出しを行う。
【００１２】
バッファ１０２は、映像記録媒体１３０から読み出されたデータを一時的に格納するメモリである。映像記録媒体１３０から読み出されたデータのうち、映像ストリームデータはデマルチプレクサ１０３に渡され、映像記録媒体識別情報、番組構成情報、再生制御情報を格納したファイルはＲＡＭ１１４に渡される。
【００１３】
デマルチプレクサ１０３は、映像記録媒体１３０から読み出された映像ストリームデータが、映像データ、字幕データ、音声データ及びインタラクティブメニューデータを混在して含む場合に、これらの各々のデータを映像ストリームから分離し、それぞれ対応するデータデコーダへと渡す。
【００１４】
音声データデコーダ１０４は、デマルチプレクサ１０３によって映像ストリームデータから分離された音声データを、この音声データが圧縮されている場合には伸張して、非圧縮音声データとして出力制御部１１０に渡す。
【００１５】
映像データデコーダ１０５は、デマルチプレクサ１０３によって映像ストリームデータから分離された映像データを、この映像データが圧縮されている場合には伸張して、非圧縮映像データとして重畳部１０８に渡す。
【００１６】
字幕データデコーダ１０６は、デマルチプレクサ１０３によって映像ストリームデータから分離された字幕データを、字幕データが文字データの場合には画像に変換して、字幕映像データとして重畳部１０８に渡す。
【００１７】
インタラクティブデータデコーダ１０７は、映像記録媒体１３０が持つインタラクティブメニューデータを元にインタラクティブメニューを生成し、インタラクティブメニュー映像データとして重畳部１０８に渡す。
【００１８】
重畳部１０８は、非圧縮映像データと、字幕映像データと、インタラクティブメニュー映像データとを重畳して、出力映像データにまとめ、この出力映像データをフレームバッファ１０９に書き込む。
【００１９】
フレームバッファ１０９は、重畳部１０８によって重畳された出力映像データを、一時的に記憶して、所定のタイミングで出力制御部１１０に渡す。
【００２０】
出力制御部１１０は、出力映像データおよび非圧縮音声データを、映像再生装置１００の外部のＴＶのモニタ等の表示部及びスピーカに出力する。
【００２１】
操作部１１１は、ユーザからの操作の入力を受け付ける装置である。例えば、操作部１１１は、リモコンや操作パネルにより構成される。
操作検出部１１２は、操作部１１１を介して入力を受け付けたユーザ操作に対応する操作信号を生成し、この操作信号をＣＰＵ１１６に渡す。なお、このような操作信号を取得したＣＰＵ１１６では、例えば、後述する再生制御部１１７が、取得した操作信号に応じて、映像記録媒体読出装置１０１、デマルチプレクサ１０３、音声データデコーダ１０４、映像データデコーダ１０５、字幕データデコーダ１０６及びインタラクティブデータデコーダ１０７等の制御を行う。
【００２２】
外部記録媒体１３１は、書き換え可能な可搬型記録装置である。例えば、外部記録媒体１３１としては、ＵＳＢ接続型記録機器又はフラッシュメモリ型記録媒体が用いられる。本実施の形態においては、外部記録媒体１３１は、レジューム情報を格納する。
ここで、レジューム情報は、映像記録媒体１３０を識別するためのレジューム映像記録媒体識別情報、再生中断時に再生していた番組を識別する番組識別情報、再生中断時に再生していた映像ストリーム上の位置を示す再生位置情報、再生中断の操作を行ったユーザを識別するためのレジュームユーザ識別情報、及び再生中断時の再生状態レジスタ値を含む。また、レジューム情報には、再生中断時の日付、時刻を含めることもできる。例えば、レジューム情報は、これらの情報を対応付けて、一つのファイルにまとめたレジューム情報ファイルとして外部記録媒体１３１に記憶される。
【００２３】
図２は、レジューム情報ファイルＲＳＦの構造の一例を示す概略図である。レジューム情報ファイルＲＳＦは、レジューム識別情報欄ＲＳＦ１と、レジューム映像記録媒体識別情報欄ＲＳＦ２と、再生番組識別情報欄ＲＳＦ３と、再生中断位置情報欄ＲＳＦ４と、再生中断日時欄ＲＳＦ５と、レジュームユーザ識別情報欄ＲＳＦ６と、再生中断時再生状態レジスタ値欄ＲＳＦ７とを備える。
【００２４】
レジューム識別情報欄ＲＳＦ１は、各々のレジューム情報ファイルＲＳＦを識別するためのレジューム識別情報を格納する。レジューム映像記録媒体識別情報欄ＲＳＦ２は、再生を中断した映像の映像ストリームが記憶されていた映像記録媒体１３０を識別するための映像記録媒体識別情報をレジューム映像記録媒体識別情報として格納する。再生番組識別情報欄ＲＳＦ３は、再生が中断されたときに再生されていた番組を識別するための番組識別情報を格納する。再生中断位置情報欄ＲＳＦ４は、再生が中断された時点における映像ストリームの再生位置を示す再生位置情報を再生中断位置情報として格納する。再生中断日時欄ＲＳＦ５は、再生が中断された時の日付と時刻を示す再生中断日時を格納する。レジュームユーザ識別情報欄ＲＳＦ６は、再生を中断した際のユーザのユーザ識別情報をレジュームユーザ識別情報として格納する。再生中断時再生状態レジスタ値欄ＲＳＦ７は、再生が中断された時の再生状態レジスタ値を格納する。
【００２５】
なお、外部記録媒体１３１は、レジューム情報以外の任意の情報、例えば、レジューム情報と無関係の画像ファイル、圧縮映像ストリームファイル、音声ストリームファイル等を含んでいてもよい。
【００２６】
外部記録媒体読書装置１１３は、外部記録媒体１３１からのデータの読み出しを行う読書部である。そして、外部記録媒体読書装置１１３は、外部記録媒体１３１から読み出したデータをＲＡＭ１１４に格納する。また、ＲＡＭ１１４のデータを外部記録媒体１３１に格納する。
【００２７】
ＲＡＭ１１４は、映像記録媒体１３０から得られた映像記録媒体識別情報、番組構成情報及び再生制御情報を格納する。格納されたこれらの情報は、映像記録媒体内のファイル配置を再現した仮想ファイルシステムＶＦＳを構成し、ＣＰＵ１１６が映像記録媒体１３０内のファイルを読み出す場合にはこの仮想ファイルシステムＶＦＳを通じてアクセスする。
また、ＲＡＭ１１４は、外部記録媒体１３１から得られたレジューム情報ファイルＲＳＦを格納し、ＣＰＵ１１６から与えられたユーザ識別情報を再生ユーザ識別情報ＰＵＩＤとして格納する。
さらに、ＲＡＭ１１４は、映像再生装置１００における映像の再生状態を示す再生状態レジスタＰＣＲを格納する。
例えば、再生状態レジスタＰＣＲは、映像ストリーム中に複数の番組が含まれている場合には、再生中の番組を示す番組識別情報、映像ストリーム中のどの位置を再生しているかを示す再生位置情報、並びに再生中の音声の番号及び字幕の番号等を示す再生状態レジスタ値を含む。再生状態が変化したときは、ＣＰＵ１１６がこの再生状態の変化を検出し、再生状態レジスタＰＣＲを書き換える。なお、図１では再生状態レジスタＰＣＲは、ＲＡＭ１１４にあるが、ＲＡＭ１１４とは異なる別の装置に記憶されていてもよい。
【００２８】
ＲＯＭ１１５は、フラッシュメモリ等不揮発性の書き込み可能な記録装置である。ＲＯＭ１１５には、登録済みユーザ情報リストＲＵＲが格納される。登録済みユーザ情報リストＲＵＲは、映像再生装置１００において登録されたユーザのユーザ情報をリスト化した情報である。このユーザ情報にはユーザ名とユーザ識別情報が含まれる。また、ユーザ情報は、ユーザ情報を区別しやすくするためのアイコン画像を含んでいてもよい。なお、登録済みユーザ情報リストＲＵＲは、ＣＰＵ１１６より与えられる。
また、ＲＯＭ１１５は、ユーザが設定した映像再生装置１００の設定を示す設定情報も記憶する。
【００２９】
ＣＰＵ１１６は、映像再生装置１００における処理を制御する制御部である。例えば、ＣＰＵ１１６は、ＲＡＭ１１４に格納された、映像記録媒体１３０から得られた映像記録媒体識別情報、番組構成情報及び再生制御情報と、外部記録媒体１３１から得られたレジューム情報と、操作検出部１１２から得られた操作信号とに基づいて、映像記録媒体読出装置１０１に対して映像記録媒体１３０内の読み出しファイルを指定し、また読み出しファイルの読み出し位置を指定する処理を行う。
【００３０】
ＣＰＵ１１６は、再生制御部１１７、ユーザ識別情報取得部１１８、レジューム情報照合部１１９、レジューム情報構成部１２０、ユーザ情報登録部１２１及び時計部１２２を備える。
【００３１】
再生制御部１１７は、再生中にユーザ操作に応じて、映像ストリームファイルの読み出し位置の切り替え、読み出し速度の切り替え、再生停止の実行、映像ストリームに複数の音声、及び字幕が含まれている場合の切り替えといった再生制御を行う。また、再生制御部１１７は、レジューム情報照合部１１９による照合結果に応じて、レジューム再生を行う処理を制御する。さらに、再生制御部１１７は、ＲＡＭ１１４に記憶する再生状態レジスタＰＣＲの生成及び更新を行う。
【００３２】
ユーザ識別情報取得部１１８は、操作部１１１を介して、映像再生装置１００を使用中のユーザからユーザ識別情報を取得する。ユーザ識別情報取得部１１８は、このユーザ識別情報を再生ユーザ識別情報ＰＵＩＤとしてＲＡＭ１１４に格納する。
【００３３】
レジューム情報照合部１１９は、外部記録媒体読書装置１１３を介して、外部記録媒体１３１からレジューム情報ファイルＲＳＦを取得し、ＲＡＭ１１４に格納する。
レジューム情報照合部１１９は、外部記録媒体１３１からレジューム情報ファイルＲＳＦに含まれるレジューム映像記録媒体識別情報及びレジュームユーザ識別情報の組と、映像記録媒体１３０から得られる再生映像記録媒体識別情報及びユーザ識別情報取得部１１８から得られる再生ユーザ識別情報ＰＵＩＤの組とを照合する。そして、レジューム情報照合部１１９は、レジューム映像記録媒体識別情報と、再生映像記録媒体識別情報とが一致し、レジュームユーザ識別情報と、再生ユーザ識別情報ＰＵＩＤとが一致する場合には、これらのレジューム映像記録媒体識別情報及びレジュームユーザ識別情報を格納するレジューム情報ファイルＲＳＦを実行可能であると判断する。なお、レジューム情報照合部１１９で、レジューム情報ファイルＲＳＦが実行可能であると判断されると、再生制御部１１７は、実行可能と判断されたレジューム情報ファイルＲＳＦに基づいて、レジューム再生を行う。
なお、レジューム情報照合部１１９は、再生制御部１１７がレジューム再生に使用したレジューム情報ファイルＲＳＦを、外部記録媒体読書装置１１３を介して、外部記録媒体１３１から削除する。
【００３４】
レジューム情報構成部１２０は、映像記録媒体１３０から読み出された映像ストリームデータの再生が中断された時に、レジューム情報ファイルＲＳＦを構成する。
【００３５】
ユーザ情報登録部１２１は、操作部１１１を介して、映像再生装置１００を使用するユーザのユーザ識別情報を登録する処理を行う。例えば、ユーザ情報登録部１２１は、操作部１１１を介して入力されたユーザ識別情報を、ＲＯＭ１１５の登録済みユーザ情報リストＲＵＲに格納する。なお、ユーザ識別情報の登録処理は、再生を実行していないときに行うのが望ましい。
【００３６】
時計部１２２は、計時を行い、年月日時刻を算出する。
【００３７】
以上が実施の形態１における映像再生装置１００の構成である。続いて本実施の形態における映像再生装置１００の動作について説明する。
【００３８】
図３は、映像再生装置１００における再生開始時の動作を示すフローチャートである。
ユーザが映像再生装置１００を起動させると、ユーザ識別情報取得部１１８が、映像再生装置１００を操作しているユーザのユーザ識別情報を再生ユーザ識別情報として取得する処理を行う（Ｓ１０）。例えば、ユーザ識別情報取得部１１８は、ＧＵＩ（Ｇｒａｐｈｉｃａｌ  Ｕｓｅｒ  Ｉｎｔｅｒｆａｃｅ）によって映像再生装置１００に登録済みのユーザの一覧を出力制御部１１１から出力させ、操作部１１１を介して、ユーザより自己のユーザ識別情報の選択の入力を受け付ける。なお、このステップＳ１０での処理の詳細については、図４を用いて説明する。また、このとき音声データデコーダ１０４、映像データデコーダ１０５、字幕データデコーダ１０６及びインタラクティブデータデコーダ１０７は動作していない。
【００３９】
次に、レジューム情報照合部１１９は、外部記録媒体読書装置１１３に外部記録媒体１３１が挿入されているか否かを確認する（Ｓ１１）。レジューム情報照合部１１９は、挿入されている場合（ステップＳ１１でＹｅｓ）には、ステップＳ１２の処理に進み、挿入されていない場合（ステップＳ１１でＮｏ）には、ステップＳ２１の処理に進む。
【００４０】
ステップＳ１２では、レジューム情報照合部１１９は、外部記録媒体読書装置１１３を介して、外部記録媒体１３１にレジューム情報ファイルＲＳＦが格納されているか否かを確認する。レジューム情報照合部１１９は、格納されている場合（ステップＳ１２でＹｅｓ）には、ステップＳ１３の処理に進み、格納されていない場合（ステップＳ１２でＮｏ）には、ステップＳ２１の処理に進む。
【００４１】
ステップＳ１３では、レジューム情報照合部１１９は、外部記録媒体読書装置１１３を介して、外部記録媒体１３１に格納された単数又は複数のレジューム情報ファイルＲＳＦを読み出し、ＲＡＭ１１４に記憶させる。
【００４２】
次に、再生制御部１１７は、映像記録媒体読出装置１０１に映像記録媒体１３０が挿入されているか否かを確認する（Ｓ１４）。再生制御部１１７は、挿入されていない場合（ステップＳ１４でＮｏ）には、ステップＳ１５の処理に進み、挿入されている場合（ステップＳ１４でＹｅｓ）には、ステップＳ１６の処理に進む。
【００４３】
ステップＳ１５では、再生制御部１１７は、映像記録媒体１３０の挿入を促す画面の画面データを生成し、フレームバッファ１０９に書き込み、出力制御部１１０から出力させる。そして、再生制御部１１７は、ステップＳ１４の処理に戻る。なお、映像記録媒体１３０の挿入を促す画面の画像データは、ＲＯＭ１１５に予め格納されていたものであってもよい。
【００４４】
ステップＳ１６では、再生制御部１１７は、映像記録媒体読出装置１０１を介して、映像記録媒体１３０から映像記録媒体識別情報を取得して、この映像記録媒体識別情報をＲＡＭ１１４に格納する。このとき、再生制御部１１７は、映像記録媒体１３０から番組構成情報及び再生制御情報も取得して、ＲＡＭ１１４に格納する。そして、再生制御部１１７は、これらの情報より仮想ファイルシステムＶＦＳを構成する。
【００４５】
次に、レジューム情報照合部１１９は、ステップＳ１３で読み出したレジューム情報ファイルＲＳＦの中に、実行可能なものがあるか否かを判断する（Ｓ１７）。レジューム情報照合部１１９は、実行可能なレジューム情報ファイルＲＳＦがある場合（ステップＳ１７でＹｅｓ）には、ステップＳ１８の処理に進み、実行可能なレジューム情報ファイルＲＳＦがない場合（ステップＳ１７でＮｏ）には、ステップＳ２３の処理に進む。
なお、実行可能なレジューム情報ファイルＲＳＦがあるか否かは、以下のようにして判断される。
まず、レジューム情報照合部１１９は、ＲＡＭ１１４に格納されているレジューム情報ファイルＲＳＦ（図２参照）のレジューム映像記録媒体識別情報欄ＲＳＦ２及びレジュームユーザ識別情報欄ＲＳＦ６より、レジューム映像記録媒体識別情報及びレジュームユーザ識別情報の組を取得する。
次に、レジューム情報照合部１１９は、仮想ファイルシステムＶＦＳに格納されている映像記録媒体識別情報を再生映像記録媒体識別情報として取得し、また、ＲＡＭ１１４に格納されている再生ユーザ識別情報ＰＵＩＤを取得して、これらの情報の組を取得する。
そして、レジューム情報照合部１１９は、それぞれの組において、レジューム映像記録媒体識別情報と再生映像記録媒体識別情報とが一致するか否か、及びレジュームユーザ識別情報と再生ユーザ識別情報ＰＵＩＤとが一致するか否かを判断し、これらがともに一致する場合には、実行可能なレジューム情報ファイルＲＳＦがあると判断する。
【００４６】
ステップＳ１８では、レジューム情報照合部１１９は、実行可能なレジューム情報ファイルを１つ抽出する。なお、本実施の形態においては、実行可能なレジューム情報ファイルＲＳＦは１つだけであることを前提とする。しかしながら、例えば、外部記録媒体１３１からのレジューム情報ファイルＲＳＦの削除が失敗した等の理由で、実行可能なレジューム情報ファイルが複数ある場合には、レジューム情報照合部１１９は、レジューム情報ファイルＲＳＦの再生中断日時欄ＲＳＦの日時を比較して、最も新しいものを抽出する。このようにして抽出されたレジューム情報ファイルＲＳＦは、再生制御部１１７に渡される。
【００４７】
次に、再生制御部１１７は、レジューム情報照合部１１９から渡されたレジューム情報ファイルＲＳＦに基づいて、レジューム再生を行う映像ストリームの読出しを開始する（Ｓ１９）。例えば、再生制御部１１７は、レジューム情報ファイルＲＳＦの再生状態レジスタ値欄ＲＳＦ７より再生状態レジスタ値を抽出して、この再生状態レジスタ値をＲＡＭ１１４に格納されている再生状態レジスタＰＣＲに設定する。さらに、再生制御部１１７は、レジューム情報ファイルＲＳＦの再生番組識別情報欄ＲＳＦ３及び再生中断位置情報欄ＲＳＦ４から再生番組識別情報及び再生中断位置情報を取得して、これらの再生番組識別情報及び再生中断位置情報を、再生位置映像記録媒体読出装置１０１に指定することにより、映像記録媒体１３０から指定した番組の指定した位置からの映像ストリームを読み出させる。
【００４８】
そして、レジューム情報照合部１１９は、外部記録媒体読書装置１１３を介して、外部記録媒体１３１からステップＳ１８で抽出されたレジューム情報ファイルＲＳＦを削除する（Ｓ２０）。以上のようにして、指定された映像ストリームの、指定された再生位置からの再生が開始される。そして、再生開始後は、再生制御部１１７が、ユーザ操作等のイベントを処理して、再生制御を行う。
【００４９】
一方、ステップＳ１１で、外部記録媒体が挿入されていないと判断された場合、又はステップＳ１２で、レジューム情報ファイルＲＳＦが外部記録媒体１３１に格納されていないと判断された場合には、再生制御部１１７は、映像記録媒体読出装置１０１に映像記録媒体１３０が挿入されているか否かを確認する（Ｓ２１）。再生制御部１１７は、挿入されていない場合（ステップＳ２１でＮｏ）には、ステップＳ２２の処理に進み、挿入されている場合（ステップＳ２１でＹｅｓ）には、ステップＳ２３の処理に進む。
【００５０】
ステップＳ２２では、再生制御部１１７は、映像記録媒体１３０の挿入を促す画面の画面データを生成し、フレームバッファ１０９に書き込み、出力制御部１１０から出力させる。そして、再生制御部１１７は、ステップＳ２１の処理に戻る。なお、映像記録媒体１３０の挿入を促す画面の画像データは、ＲＯＭ１１５に予め格納されていたものであってもよい。
【００５１】
ステップＳ２３では、再生制御部１１７は、ＲＡＭ１１４に格納されている仮想ファイルシステムＶＦＳに基づいて、映像記録媒体１３０の再生順序情報に従い、番組の最初から再生するように、映像記録媒体読出装置１０１に設定を行う。
【００５２】
次に、ユーザ識別情報取得部１１８が行う処理について述べる。図４は、図３のステップＳ１０における再生ユーザ識別情報取得処理を示すフローチャートである。
【００５３】
まず、ユーザ識別情報取得部１１８は、ＲＯＭ１１５から登録済みユーザ情報リストＲＵＲを取得して、ＲＡＭ１１４に格納する。そして、ユーザ識別情報取得部１１８は、この登録済みユーザ情報リストＲＵＲに基づいて、登録ユーザ一覧画面の画面データを生成する（Ｓ３０）。例えば、登録ユーザ一覧画面は、登録済みユーザ情報リストＲＵＲに含まれるユーザ情報のユーザ名を画面に配置したものである。なお、ユーザ名とユーザ識別情報とを画面に配置してもよく、さらに、ユーザ識別情報のみを画面に配置してもよい。
【００５４】
次に、ユーザ識別情報取得部１１８は、登録ユーザ一覧画面をフレームバッファ１０９に書き込んで、出力制御部１１０から出力する（Ｓ３１）。
【００５５】
登録ユーザ一覧画面において、ユーザが、操作部１１１を介して、ユーザ名の選択を切り替えると、操作検出部１１２が選択切り替え動作を検出して、検出結果をユーザ識別情報取得部１１８に通知することで、選択中のユーザ名が切り替わる（Ｓ３２）。ユーザ名の選択の切り替えは、例えば、リモコン又は操作パネルにおけるカーソルキーの押下等により行われる。このとき、ユーザ識別情報取得部１１８は、選択中のユーザ名を示すため、登録ユーザ一覧画面を更新して、フレームバッファ１０９に書き込み、出力制御部１１０から出力する。
【００５６】
ユーザが、操作部１１１を介して、ユーザ名の決定操作を入力すると、操作検出部１１２はこの決定操作を検出して、検出結果をユーザ識別情報取得部１１８に通知する。このような通知を受けたユーザ識別情報取得部１１８は、決定操作で示されたユーザ名に対応するユーザ識別情報を再生ユーザ識別情報ＰＵＩＤとしてＲＡＭ１１４に記憶させる（Ｓ３３）。例えば、この決定操作は、リモコン又は操作パネルにおける決定ボタンの押下等により行われる。
【００５７】
次に、本実施の形態における再生中断時のレジューム情報書込み処理について、図５のフローチャートを用いて説明する。この処理を行うタイミングは再生開始より後であるから、再生映像記録媒体識別情報及び再生ユーザ識別情報ＰＵＩＤは、取得済み（図３のステップＳ１０及びステップＳ１６）であるという前提で説明する。
【００５８】
ユーザが、操作部１１１を介して、再生中断の操作を行い、操作検出部１１２が、この操作を検出すると（Ｓ４０でＹｅｓ）、レジューム情報書込み処理が開始される。
【００５９】
レジューム情報構成部１２０は、ＲＡＭ１１４に格納されている再生状態レジスタＰＣＲより、再生中の番組を示す番組識別情報を取得する（Ｓ４１）。次に、レジューム情報構成部１２０は、再生状態レジスタＰＣＲより、映像ストリーム中のどの位置を再生しているかを示す再生位置情報を取得する（Ｓ４２）。次に、レジューム情報構成部１２０は、時計部１２２より、日付と時刻を取得する（Ｓ４３）。次に、レジューム情報構成部１２０は、再生状態レジスタＰＣＲより、再生状態レジスタ値を取得する（Ｓ４４）。なお、ステップＳ４１〜Ｓ４４で示す処理を行う順番は、図５で示す順番に限定されるものではなく、どのような順番であってもよい。
【００６０】
次に、レジューム情報構成部１２０は、レジューム情報ファイルＲＳＦを構成する（Ｓ４５）。例えば、レジューム情報構成部１２０は、レジューム情報ファイルＲＳＦに一意となるレジューム識別情報を新たに割り当て、このレジューム識別情報をレジューム識別情報欄ＲＳＦ１に格納したレジューム情報ファイルＲＳＦを生成する。そして、レジューム情報構成部１２０は、既に取得されている再生映像記録媒体識別情報を、レジューム映像記録媒体識別情報として、レジューム映像記録媒体識別情報欄ＲＳＦ２に格納する。また、レジューム情報構成部１２０は、既に取得されている再生ユーザ識別情報を、レジュームユーザ識別情報として、レジュームユーザ識別情報欄ＲＳＦ６に格納する。さらに、レジューム情報構成部１２０は、ステップＳ４１で取得した番組識別情報、ステップＳ４２で取得した再生位置情報、ステップＳ４３で取得した日付と時刻、既に取得している再生ユーザ識別情報、及びステップＳ４４で取得した再生状態レジスタ値をそれぞれ、再生番組識別情報欄ＲＳＦ３、再生中断位置情報欄ＲＳＦ４、再生中断日時欄ＲＳＦ５、及び再生中断時再生状態レジスタ値欄ＲＳＦ７に格納する。
【００６１】
次に、レジューム情報構成部１２０は、外部記録媒体読書装置１１３を介して、外部記録媒体１３１に書込みを行うことが可能か否かを確認する（Ｓ４６）。レジューム情報構成部１２０は、書込みを行うことが可能である場合（ステップＳ４６でＹｅｓ）には、ステップＳ４７の処理に進み、書込みを行うことが可能ではない場合（ステップＳ４６でＮｏ）には、ステップＳ４８の処理に進む。
【００６２】
ステップＳ４７では、レジューム情報構成部１２０は、外部記録媒体読書装置１１３を介して、ステップＳ４５で構成されたレジューム情報ファイルＲＳＦを外部記録媒体１３１の空き領域に追加格納する。
【００６３】
一方、ステップＳ４８では、レジューム情報構成部１２０は、外部記録媒体読書装置１１３に外部記録媒体１３１が挿入されているか否かを確認する。そして、レジューム情報構成部１２０は、挿入されていない場合（ステップＳ４８でＮｏ）には、ステップＳ４９の処理に進み、挿入されている場合には（ステップＳ４８でＹｅｓ）には、ステップＳ５１の処理に進む。
【００６４】
ステップＳ４９では、レジューム情報構成部１２０は、外部記録媒体１３１の挿入を促す画面の画面データを生成し、フレームバッファ１０９に書き込み、出力制御部１１０から出力させる。
そして、レジューム情報構成部１２０は、外部記録媒体読書装置１１３に外部記録媒体１３１が挿入されたか否かを確認する（Ｓ５０）。そして、レジューム情報構成部１２０は、挿入されない場合（ステップＳ５０でＮｏ）には、ステップＳ４９の処理に戻り、挿入された場合には（ステップＳ４８でＹｅｓ）には、ステップＳ５１の処理に進む。
【００６５】
ステップＳ５１では、レジューム情報構成部１２０は、外部記録媒体読書装置１１３を介して、外部記録媒体１３１に書込みを行うことが可能か否かを確認する。書込みを行うことが可能である場合（ステップＳ５１でＹｅｓ）には、ステップＳ４７の処理に進み、書込みを行うことが可能ではない場合（ステップＳ５１でＮｏ）には、ステップＳ５２の処理に進む。
【００６６】
ステップＳ５２では、レジューム情報構成部１２０は、ステップＳ４５で構成したレジューム情報ファイルＲＳＦを破棄して、処理を終了する。
【００６７】
なお、図５のステップＳ４７におけるレジューム情報ファイルＲＳＦを外部記録媒体１３１に追加格納する処理のタイミングは、再生中断の後であれば任意である。例えば、再生中断が実行された後に、直ちに一連の処理を行い、外部記録媒体１３１に追加格納してもよいし、再生中断の後、ユーザが映像再生装置１００全体を停止させるとき（停止指示を行ったとき）に行ってもよい。あるいは、再生中断ののち、ユーザが映像記録媒体１３０を取り出すタイミングでもよく、さらに、ユーザが他の映像記録媒体１３０を挿入するタイミングでもよい。
以上の処理によって、レジューム情報ファイルＲＳＦを生成し、外部記録媒体１３１に保存することが可能になる。
【００６８】
次に、本実施の形態において、ユーザ識別情報の照合のために、事前に使用するユーザのユーザ情報を登録する処理について、図６のフローチャートを用いて説明する。なお、操作部１１１を介して、ユーザがユーザ情報の登録処理の開始指示の入力を行った際に、ユーザ情報登録部１２１は、ユーザ情報の登録処理を開始する。
【００６９】
まず、ユーザ情報登録部１２１は、ユーザ登録画面の画面データを生成して、フレームバッファ１０９に書き込み、出力制御部１１０から出力する（Ｓ６０）。
【００７０】
このユーザ登録画面において、操作部１１１を介して、ユーザがユーザ名を入力することで、操作検出部１１２がユーザの操作を検出して、ユーザ情報登録部１２１に通知することで、ユーザ情報登録部１２１は、ユーザ名となる文字列を取得する（Ｓ６１）。このユーザ名は、登録ユーザ一覧画面の表示に用いられる。
【００７１】
次に、ユーザ情報登録部１２１は、ユーザ毎に一意となるユーザ識別情報を生成する（Ｓ６２）。
【００７２】
次に、ユーザ情報登録部１２１は、登録済みユーザ情報リストＲＵＲをＲＯＭ１１５から取得し（Ｓ６３）、ユーザ情報登録部１２１は、ステップＳ６１で入力されたユーザ名と、ステップＳ６２で生成されたユーザ識別情報とを対応付けてユーザ情報とし、このユーザ情報をこの登録済みユーザ情報リストＲＵＲに追加する（Ｓ６４）。
【００７３】
そして、ユーザ情報登録部１２１は、以上のようにして更新した登録済みユーザ情報リストＲＵＲを再びＲＯＭ１１５に格納する（Ｓ６５）。
【００７４】
以上により、再生ユーザ識別情報の取得のために、事前に使用するユーザのユーザ情報を登録することが可能になる。
【００７５】
以上のように、実施の形態１に係る映像再生装置１００によれば、ある映像再生装置１００Ａで得られたレジューム情報を外部記録媒体１３１に格納して、この外部記録媒体１３１を別の映像再生装置１００Ｂで利用することにより、ある映像再生装置１００Ａで得られたレジューム情報を利用して、別の映像再生装置１００Ｂでレジューム再生を行うことができるようになる。
【００７６】
さらに、レジューム情報は、レジュームユーザ識別情報を有することによって、映像再生装置１００を操作中のユーザのレジューム情報を用いて、当該ユーザに関係のあるレジューム再生を実行することができる。例えば、ユーザＸが映像再生装置１００で映像記録媒体１３０に記憶された映像の再生を中断し、別のユーザＹが映像再生装置１００でこの映像記録媒体１３０の映像の再生を行った後に、再び、ユーザＸが映像記録媒体１３０の映像を再生する場合に、ユーザＸは、前回自己が再生を中断した位置からレジューム再生を行うことができるようになる。この場合、レジューム再生を実行する映像再生装置１００は、必ずしも再生の中断を行った映像再生装置１００である必要はない。また、ユーザ識別情報を取得する際に、ＧＵＩを利用することで、特別な装置を追加することなくユーザ識別情報が取得できる。
【００７７】
実施の形態２．
実施の形態１では、再生ユーザ識別情報を取得するために、操作中のユーザに、ＧＵＩを用いて登録済みのユーザ情報から自己のユーザ情報を選択させるようにしている。
これに対して、実施の形態２に係る映像再生装置２００では、ＧＵＩによるユーザへの選択を促さずにユーザ識別情報を取得することができるようにする。
【００７８】
図７は、実施の形態２における映像再生装置２００の概略的な構成を示すブロック図である。映像再生装置２００は、映像記録媒体読出装置１０１と、バッファ１０２と、デマルチプレクサ１０３と、音声データデコーダ１０４と、映像データデコーダ１０５と、字幕データデコーダ１０６と、インタラクティブデータデコーダ１０７と、重畳部１０８と、フレームバッファ１０９と、出力制御部１１０と、操作部１１１と、操作検出部１１２と、外部記録媒体読書装置１１３と、ＲＡＭ１１４と、ＲＯＭ２１５と、ＣＰＵ２１６と、受光器２２５と、受光バッファ２２６と、を備える。実施の形態２における映像再生装置２００は、ＣＰＵ２１６での処理の点、受光器２２５及び受光バッファ２２６が設けられている点、並びにＲＯＭ２１５に記憶されている情報の点において、実施の形態１における映像再生装置１００と異なっている。
なお、受光器２２５及び受光バッファ２２６により受信部が構成される。
また、図７には、無線信号を用いて情報の送受信を行う送信端末２４０が示されている。そして、本実施の形態においては、送信端末２４０からユーザ識別情報を映像再生装置２００に送信し、映像再生装置２００では受信手段を用いてユーザ識別情報を取得して、このユーザ識別情報を再生ユーザ識別情報とする。ここで、実施の形態２では、無線信号の一例として、赤外線信号が用いられる。
【００７９】
受光器２２５は、赤外線による赤外線信号を受信し、得られた信号を１ビットずつ出力する。
【００８０】
受光バッファ２２６は、受光器２２５からビット単位で得られた信号を到着順に取得し、数ビット毎のまとまりでＲＡＭ１１４に格納する。
【００８１】
ＲＯＭ２１５は、実施の形態１と同様に、フラッシュメモリ等不揮発性の書き込み可能な記録装置である。但し、実施の形態２におけるＲＯＭ２１５には、登録済みユーザ情報リストＲＵＲが格納されていない点において、実施の形態１のＲＯＭ１１５とは異なっている。
【００８２】
ＣＰＵ２１６は、再生制御部１１７、ユーザ識別情報取得部２１８、レジューム情報照合部１１９、レジューム情報構成部１２０及び時計部１２２を備える。実施の形態２におけるＣＰＵ２１６は、ユーザ識別情報取得部２１８での処理の点及びユーザ情報登録部１２１が備えられていない点において、実施の形態１におけるＣＰＵ１１６と異なっている。
【００８３】
ユーザ識別情報取得部２１８は、受光器２２５を介して、送信端末２４０より、ユーザ識別情報を取得する。ユーザ識別情報取得部２１８は、このユーザ識別情報を再生ユーザ識別情報ＰＵＩＤとしてＲＡＭ１１４に格納する。
【００８４】
図８は、送信端末２４０の概略的な構成を示すブロック図である。送信端末２４０は、マイコン２４１と、ＲＯＭ２４２と、ＲＡＭ２４３と、シフトレジスタ２４４と、赤外線ＬＥＤ２４５と、操作部２４６と、操作検出部２４７と、を備える。ＲＯＭ２４２及びＲＡＭ２４３により記憶部が構成され、操作部２４６及び操作検出部２４７により入力部が構成され、マイコン２４１により制御部が構成され、また、シフトレジスタ２４４及び赤外線ＬＥＤ２４５により送信部が構成される。この送信端末２４０の一例としては、送信端末２４０の各部を制御するアプリケーションソフトをマイコン２４１で実行する携帯電話端末等がある。
【００８５】
送信端末２４０では、操作部２４６を介して、ユーザがユーザ識別情報の送信指示を入力することで、マイコン２４１が、シフトレジスタ２４４及び赤外線ＬＥＤ２４５を介して、ＲＯＭ２４２に格納されているユーザ識別情報を送信する。
【００８６】
次に、実施の形態２における映像再生装置２００の動作について説明する。実施の形態２において、実施の形態１と異なる動作は、図３のステップＳ１０における再生ユーザ識別情報の取得処理である。以下では、実施の形態２における再生ユーザ識別情報の取得処理について、図９のフローチャートを用いて説明する。
【００８７】
まず、映像再生装置２００のユーザ識別情報取得部２１８は、赤外線信号を受信中である旨を示す画面データを生成し、フレームバッファ１０９に書き込み、出力制御部１１０から出力する（Ｓ７０）。また、ユーザ識別情報取得部２１８は、受光器２２５を動作状態にし、赤外線信号を受光可能な状態にする（Ｓ７１）。
【００８８】
一方、送信端末２４０では、ユーザが、操作部２４７を介してユーザ識別情報の送信指示を入力することで、操作検出部２４７が、この指示を検知して、マイコン２４１に通知する。このような通知を受けたマイコン２４１は、ＲＯＭ２４２に格納されているユーザ識別情報をＲＡＭ２４３に格納してから、シフトレジスタ２４４に設定する（Ｓ８０）。シフトレジスタ２４４に設定されたユーザ識別情報は、１ビットずつ赤外線ＬＥＤ２４５に送ることで赤外線信号に変調され、赤外線ＬＥＤ２４５から出力される（Ｓ８１）。
【００８９】
送信端末２４０から出力された赤外線信号は、映像再生装置２００の受光器２２５で１ビットずつ受信されて、復調され、受光バッファ２２６に格納される（Ｓ７２）。格納されたユーザ識別情報は、受光バッファ２２６からＲＡＭ１１４に移され、再生ユーザ識別情報ＰＵＩＤとしてＲＡＭ１１４に格納される（Ｓ７３）。
【００９０】
そして、ユーザ識別情報取得部２１８は、受光器２２５の動作を停止する（Ｓ７４）。このとき、ユーザ識別情報取得部２１８は、赤外線信号を受信中である旨を示す画面データの出力も停止する。
【００９１】
なお、図９のステップＳ７３において、受光バッファ２２６からＲＡＭ１１４にユーザ識別情報を移すタイミングは、ユーザ識別情報の全ビットが受光バッファ２２６に格納されたときでもよく、また、予め定められたビット数が受光バッファ２２６に格納されたタイミングでもよい。
【００９２】
以上が赤外線信号送信端末から再生ユーザ識別情報を取得する動作の説明である。上の説明ではユーザ識別情報を直接赤外線信号に変調したが、公知技術であるＩｒＤＡ規格を利用して、符号化を行った上で変調をかけて送信してもよい。
【００９３】
また、実施の形態２においては、赤外線を用いてユーザ識別情報を送受信するようにしているが、例えば、映像再生装置２００が非接触型ＩＣカードと通信を行う通信部を備え、非接触型ＩＣカードに格納されているユーザ識別情報を、映像再生装置２００が受信するようにしてもよい。このような非接触型ＩＣカードを用いた通信技術として、例えばＦＥＬＩＣＡ（登録商標）がある。
【００９４】
また、実施の形態２においては、レジューム情報を外部記録媒体１３１から取得するようにしているが、例えば、送信端末２４０にレジューム情報を記憶しておき、映像再生装置２００は、送信端末２４０からレジューム情報をユーザ識別情報とともに取得するようにしてもよい。この場合、図３のステップＳ１３におけるレジューム情報ファイルＲＳＦの取得処理は、送信端末２４０から、無線信号を用いて、レジューム情報ファイルＲＳＦを受信する処理となる。言い換えると、図９に示されるフローチャートにおいて送受信する情報を、再生ユーザ識別情報から単数又は複数のレジューム情報ファイルＲＳＦに置き換えることで、レジューム情報ファイルＲＳＦの取得を行う。このような場合には、実施の形態１における外部記録媒体１３１と外部記録媒体読書装置１１３が不要になる。
【００９５】
また、送信端末２４０からレジューム情報ファイルＲＳＦを取得する場合には、例えば、送信端末２４０のＲＯＭ２４２にレジューム情報ファイルＲＳＦを格納する必要がある。このためには、映像再生装置２００側に無線信号の送信部を備え、送信端末２４０の側にも無線信号の受信部を備える必要がある。そして、図５のステップＳ４７におけるレジューム情報ファイルの格納処理では、無線信号を用いて、レジューム情報ファイルＲＳＦを送信端末２４０に送信する処理を行う。例えば、無線信号に赤外線を用いる場合、図９に示されるフローチャートにおいて、映像再生装置２００と送信端末２４０とを入れ替えて、かつ、送受信する情報をユーザ識別情報からレジューム情報ファイルＲＳＦに置き換えることにより、送信端末２４０は、ＲＡＭ２４３に格納されたレジューム情報ファイルＲＳＦをＲＯＭ２４２に格納することができる。
なお、このような方法では、レジューム情報ファイルＲＳＦを直接変調することとなるが、この変調する技術は、ＩｒＤＡやＦＥＬＩＣＡで規定されている技術を用いることができる。
【００９６】
以上のように、実施の形態２によれば、映像再生装置２００は、ユーザに選択操作を促さずに再生ユーザ識別情報を取得することができる。また、映像再生装置２００が、登録済みユーザ情報リストＲＵＲを保持する必要がないため、事前のユーザ登録処理も不要となる。
【００９７】
実施の形態３．
実施の形態１及び２では、レジューム再生を実行した後に、このレジューム再生の際に参照したレジューム情報ファイルＲＳＦを外部記録媒体１３１から削除している。また、実施の形態１及び２では、レジューム再生を実行する際に、再生ユーザ識別情報及び再生映像記録媒体識別情報との照合によって抽出される実行可能なレジューム情報ファイルＲＳＦは１つであることを前提としている。
この点、ユーザとしては、一度レジューム再生を実行したレジューム情報ファイルＲＳＦを再度使用する要望が生ずることもあり（チャプターマークの代用にする等）、あえてそのレジューム情報ファイルＲＳＦを削除せずに残しておきたい状況もある。このようにレジューム情報ファイルＲＳＦを削除せずに残しておいた場合には、実行可能なレジューム情報が複数存在する場合が生じる。そこで、実施の形態３では、一度レジューム再生を実行したレジューム情報ファイルＲＳＦを削除せずに保存でき、また実行可能なレジューム情報が複数存在する場合に、実行可能なレジューム情報を一覧表示してユーザが選択できるようにする。
【００９８】
図１０は、実施の形態３における映像再生装置３００の概略的な構成を示すブロック図である。映像再生装置３００は、映像記録媒体読出装置１０１と、バッファ１０２と、デマルチプレクサ１０３と、音声データデコーダ１０４と、映像データデコーダ１０５と、字幕データデコーダ１０６と、インタラクティブデータデコーダ１０７と、重畳部１０８と、フレームバッファ１０９と、出力制御部１１０と、操作部１１１と、操作検出部１１２と、外部記録媒体読書装置１１３と、ＲＡＭ１１４と、ＲＯＭ２１５と、ＣＰＵ３１６と、受光器２２５と、受光バッファ２２６と、を備える。実施の形態３における映像再生装置３００は、ＣＰＵ３１６での処理の点において、実施の形態２における映像再生装置２００と異なっている。
【００９９】
ＣＰＵ３１６は、再生制御部１１７、ユーザ識別情報取得部２１８、レジューム情報照合部３１９、レジューム情報構成部１２０、時計部１２２及びメニュー映像生成処理部３２３を備える。実施の形態３におけるＣＰＵ３１６は、レジューム情報照合部３１９での処理の点、及びメニュー映像生成処理部３２３を備える点において、実施の形態２におけるＣＰＵ２１６と異なっている。
【０１００】
レジューム情報照合部３１９は、実施の形態１と同様に、外部記録媒体読書装置１１３を介して、外部記録媒体１３１からレジューム情報ファイルＲＳＦを取得し、ＲＡＭ１１４に格納する。
また、レジューム情報照合部３１９は、実施の形態１と同様に、外部記録媒体１３１からレジューム情報ファイルＲＳＦに含まれるレジューム映像記録媒体識別情報及びレジュームユーザ識別情報の組と、映像記録媒体１３０から得られる再生映像記録媒体識別情報及びユーザ識別情報取得部１１８から得られる再生ユーザ識別情報ＰＵＩＤの組とを照合する。ここで、本実施の形態においては、レジューム情報照合部３１９は、照合の結果、実行可能なレジューム情報ファイルＲＳＦがある場合には、この実行可能なレジューム情報ファイルＲＳＦ（例えば、そのレジューム識別情報）をメニュー映像生成処理部３２３に通知する。
さらに、レジューム情報照合部３１９は、実施の形態１とは異なり、再生制御部１１７がレジューム再生に使用したレジューム情報ファイルＲＳＦを削除するか否かをユーザに問い合わせ、ユーザより削除指示を受けた場合に、このようなレジューム情報ファイルＲＳＦを、外部記録媒体読書装置１１３を介して、削除する。
【０１０１】
メニュー映像生成処理部３２３は、レジューム情報照合部３１９より通知されたレジューム情報ファイルＲＳＦに基づいて、レジューム情報提示メニュー映像情報を生成し、フレームバッファ１０９に書込み、出力制御部１１０から出力する。
【０１０２】
例えば、メニュー映像生成処理部３２３は、レジューム情報照合部３１９より通知されたレジューム情報ファイルＲＳＦに基づいて、図１１に示すようなメニュー画面構成情報ＭＰＤを生成し、このメニュー画面構成情報ＭＰＤに基づいて、レジューム情報提示メニュー映像情報を生成する。
図１１は、メニュー画面構成情報ＭＰＤの一例を示す概略図である。メニュー画面構成情報ＭＰＤは、背景画像ファイルＢＡＦと、メニュー１頁当たりの表示アイテム数ＩＴＮと、フォント指定情報ＦＯＮと、表示アイテムＩＴ１、ＩＴ２、ＩＴ３、・・・とを含む。ここで、本実施の形態においては、表示アイテムＩＴ１、ＩＴ２、ＩＴ３、・・・は、レジューム情報照合部３１９より通知されたレジューム情報ファイルＲＳＦの各々と、ページ送りアイテムと、ページ戻りアイテムとに対応して設けられる。
【０１０３】
背景画像ファイルＢＡＦは、背景となる画像を格納したファイルである。背景画像ファイルＢＡＦに格納された画像に、表示アイテムＩＴ１、ＩＴ２、ＩＴ３、・・・で特定される画像を配置することで、レジューム情報提示メニュー映像が形成される。
メニュー１頁当たりの表示アイテム数ＩＴＮは、背景画像ファイルＢＡＦに格納されている背景画像の１ページに配置することのできる表示アイテム数を示す情報である。
フォント指定情報ＦＯＮは、表示アイテムＩＴ１、ＩＴ２、ＩＴ３、・・・で特定される画像内の文字や記号のフォントを特定する情報である。
なお、以上の背景画像ファイルＢＡＦ、メニュー１頁当たりの表示アイテム数ＩＴＮ及びフォント指定情報ＦＯＮについては、ＲＯＭ２１５又は外部記録媒体１３１等に予め格納されているものを用いればよい。
【０１０４】
レジューム情報ファイルＲＳＦの各々に対応する表示アイテムＩＴ１、ＩＴ２、ＩＴ３、・・・の各々は、レジューム情報ファイルのファイル名及び番組識別情報Ｄ１と、サムネイル画像ファイルＤ２と、サムネイル画像サイズＤ３と、表示アイテム位置座標Ｄ４と、表示文字列Ｄ５と、選択された場合の動作Ｄ６と、被選択状態フラグＤ７と、決定された場合の動作Ｄ８と、カーソルキーに対する動作Ｄ９とを含む。
レジューム情報ファイルのファイル名及び番組識別情報Ｄ１は、レジューム情報照合部３１９より通知されたレジューム情報ファイルＲＳＦのファイル名と、当該レジューム情報ファイルＲＳＦの再生番組識別情報欄ＲＳＦ２に格納されている番組識別情報とを示す情報である。
サムネイル画像ファイルＤ２は、情報Ｄ１で特定されるレジューム情報ファイルＲＳＦにサムネイル画像ファイルが含まれている場合には、このサムネイル画像ファイルを取得して、サムネイル画像ファイルＤ２とする。なお、情報Ｄ１で特定されるレジューム情報ファイルＲＳＦにサムネイル画像ファイルが含まれていない場合には、例えば、ＲＯＭ２１５等に予め記憶されているサムネイル画像ファイルが用いられる。
サムネイル画像サイズＤ３は、サムネイル画像ファイルＤ２の画像サイズを示す情報である。
表示アイテム位置座標Ｄ４は、情報Ｄ１で特定されるレジューム情報ファイルＲＳＦに対応する情報（サムネイル画像ファイルＤ２及び表示文字列Ｄ５等）を配置する背景画像上の位置を示す情報である。この位置については、表示アイテムＩＴ１、ＩＴ２、ＩＴ３、・・・毎に予め定められているものとする。
表示文字列Ｄ５は、表示アイテム位置座標Ｄ４で示される位置に表示する文字列を示す情報である。本実施の形態においては、一例として情報Ｄ１で特定されるレジューム情報ファイルＲＳＦの再生中断日時欄ＲＳＦ５に格納されている日付及び時刻に「に再生していた番組の続き」を示す情報を連結することで表示文字列Ｄ５としている。
選択された場合の動作Ｄ６は、ユーザが操作部１１１を介して、情報Ｄ１で特定されるレジューム情報ファイルＲＳＦを選択した場合の動作を示す情報である。例えば、ユーザが操作部１１１を介して、表示アイテム位置座標Ｄ４で特定される位置を選択すると、選択された位置の表示文字列Ｄ５をハイライト表示する等の動作を示す情報が格納される。
被選択状態フラグＤ７は、ユーザが操作部１１１を介して、情報Ｄ１で特定されるレジューム情報ファイルＲＳＦを選択したか否かを示す情報である。例えば、被選択状態フラグＤ７が、オンを示すものとなっている場合には、ユーザが操作部１１１を介して、情報Ｄ１で特定されるレジューム情報ファイルＲＳＦを選択したことを示し、被選択状態フラグＤ７が、オフを示すものとなっている場合には、ユーザが操作部１１１を介して、情報Ｄ１で特定されるレジューム情報ファイルＲＳＦを選択していないことを示す。
決定された場合の動作Ｄ８は、ユーザが操作部１１１を介して、情報Ｄ１で特定されるレジューム情報ファイルＲＳＦを選択して決定指示の入力を行った場合の動作を示す情報である。例えば、ユーザが操作部１１１を介して、表示アイテム位置座標Ｄ４で特定される位置を選択して、決定指示の入力をした場合には、情報Ｄ１で特定されるレジューム情報ファイルＲＳＦに従ってレジューム再生が開始される。
カーソルキーに対する動作Ｄ９は、ユーザが、操作部１１１を介して、カーソルキーを操作した場合の動作を示す情報である。例えば、ユーザが操作部１１１を介して、表示アイテム位置座標Ｄ４で示される位置において、カーソルキー押下の操作を行った場合には、被選択状態フラグＤ７をオンとする動作を示す情報が格納されている。この場合において、他の表示アイテムの被選択状態がオンとなっていた場合には、既にオンとなっている被選択状態フラグをオフにする動作を示す情報も格納されている。
【０１０５】
図示していないが、ページ送り又はページ戻りに対応する表示アイテムは、指示識別情報ＤＤ１と、表示画像ファイルＤＤ２と、表示画像サイズＤＤ３と、表示アイテム位置座標ＤＤ４と、選択された場合の動作ＤＤ５と、被選択状態フラグＤＤ６と、決定された場合の動作ＤＤ７と、カーソルキーに対する動作ＤＤ８とを含む。
指示識別情報ＤＤ１は、ページ送り又はページ戻りの何れか一方を識別するための識別情報である。
表示画像ファイルＤＤ２は、ページ送り又はページ戻りを示す画像を格納したファイルである。このファイルについては、ＲＯＭ２１５等に予め記憶されている表示画像ファイルが用いられる。
表示画像サイズＤＤ３は、ページ送り又はページ戻りを示す画像を格納した表示画像ファイルの画像サイズを示す情報である。
表示アイテム位置座標ＤＤ４は、ページ送り又はページ戻りを示す画像を配置する背景画像上の位置を示す情報である。
選択された場合の動作ＤＤ５は、ユーザが操作部１１１を介して、ページ送り又はページ戻りの表示画像を選択した場合の動作を示す情報である。例えば、ユーザが操作部１１１を介して、ページ送り又はページ戻りの表示画像を選択すると、選択された表示画像を拡大表示する等の動作を示す情報が格納される。
被選択状態フラグＤＤ６は、ユーザが操作部１１１を介して、ページ送り又はページ戻りを選択したか否かを示す情報である。例えば、ユーザが操作部１１１を介して、ページ送り又はページ戻りの表示画像を選択した場合には、被選択状態フラグＤＤ６がオンを示すものとなる。
決定された場合の動作ＤＤ７は、ユーザが操作部１１１を介して、ページ送り又はページ戻りを選択して決定指示の入力を行った場合の動作を示す情報である。例えば、ユーザが操作部１１１を介して、ページ送り又はページ戻りの表示画像を選択して、決定指示の入力をした場合には、決定された表示画面に応じて、次のページへの移行（ページ送り）又は前のページへの移行（ページ戻り）が行われる。
カーソルキーに対する動作は、ユーザが操作部１１１を介して、カーソルキーを操作した場合の動作を示す情報である。例えば、ユーザが操作部１１１を介して、ページ送り又はページ戻りの表示画像が表示されている位置において、カーソルキー押下の操作を行った場合には、被選択状態フラグＤＤ６をオンとする動作を示す情報が格納される。この場合において、他の表示アイテムの被選択状態フラグがオンとなっていた場合には、既にオンとなっている被選択状態フラグをオフにする動作を示す情報が格納される。
【０１０６】
図１２は、メニュー映像生成処理部３２３が生成するレジューム情報提示メニュー映像情報に基づいて表示されるレジューム情報提示メニュー映像ＲＳＰを示す概略図の一例である。レジューム情報提示メニュー映像ＲＳＰは、レジューム情報照合部３１９から通知されたレジューム情報ファイルＲＳＦ毎に、サムネイル映像表示領域ＳＰＡ１〜ＳＰＡ４と、レジューム情報選択領域ＳＲＡ１〜ＳＲＡ４と、前ページ選択領域ＰＳＡと、次ページ選択領域ＮＳＡとを備える。
【０１０７】
そして、１つのサムネイル映像表示領域ＳＰＡ１〜ＳＰＡ４と、このサムネイル映像表示領域ＳＰＡ１〜ＳＰＡ４に隣接した位置に配置されるレジューム情報選択領域ＳＲＡ１〜ＳＲＡ４の１つとが、図１１のメニュー画面構成情報ＭＰＤにおける１つの表示アイテムＩＴ１、ＩＴ２、ＩＴ３、・・・に対応する。
【０１０８】
サムネイル映像表示領域ＳＰＡ１〜ＳＰＡ４には、隣接した位置に配置されるレジューム情報選択領域ＳＲＡ１〜ＳＲＡ４で選択されるレジューム情報ファイルＲＳＦに対応するサムネイル画像が表示される。これらの領域は、メニュー画面構成情報ＭＰＤのサムネイル画像ファイルＤ２に基づいて表示される。
レジューム情報選択領域ＳＲＡ１〜ＳＲＡ４には、本実施の形態の例においては各々のレジューム情報選択領域ＳＲＡ１〜ＳＲＡ４で選択されるレジューム情報ファイルＲＳＦの再生中断日時欄ＲＳＦ５に格納された日付及び時刻に「に再生していた番組の続き」の文字列を追加したものが表示される。これらの領域は、メニュー画面構成情報ＭＰＤの表示文字列Ｄ５に基づいて表示される。
【０１０９】
そして、ユーザは、操作部１１１を介して、何れかのレジューム情報選択領域ＳＲＡ１〜ＳＲＡ４を選択して、決定指示の入力を行うことで、レジューム再生に使用するレジューム情報ファイルＲＳＦを選択することができる。
なお、レジューム情報照合部３１９から通知されたレジューム情報ファイルＲＳＦのサムネイル映像表示領域ＳＰＡ１〜ＳＰＡ４及びレジューム情報選択領域ＳＲＡ１〜ＳＲＡ４が１ページの画面に入りきらない場合には、複数のページが生成され、ユーザは、操作部１１１を介して、前ページ選択領域ＰＳＡ又は次ページ選択領域ＮＳＡを選択して、決定指示の入力を行うことで、他のページを表示させることができる。
【０１１０】
以上が実施の形態３における映像再生装置３００の構成である。続いて本実施の形態における映像再生装置３００の動作について説明する。
【０１１１】
図１３及び図１４は、映像再生装置３００における再生開始時の動作を示すフローチャートである。
ユーザが映像再生装置３００を起動すると、ユーザ識別情報取得部１１８が、映像再生装置３００を操作しているユーザのユーザ識別情報を再生ユーザ識別情報として取得する処理を行う（Ｓ９０）。本実施の形態におけるステップＳ９０での処理は、実施の形態２における処理と同様であり、具体的には、図９に示される処理が行われる。
【０１１２】
次に、レジューム情報照合部３１９は、外部記録媒体読書装置１１３に外部記録媒体１３１が挿入されているか否かを確認する（Ｓ９１）。レジューム情報照合部３１９は、挿入されている場合（ステップＳ９１でＹｅｓ）には、ステップＳ９２の処理に進み、挿入されていない場合（ステップＳ９１でＮｏ）には、ステップＳ９４の処理に進む。
【０１１３】
ステップＳ９２では、レジューム情報照合部３１９は、外部記録媒体読書装置１１３を介して、外部記録媒体１３１にレジューム情報ファイルＲＳＦが格納されているか否かを確認する。レジューム情報照合部３１９は、格納されている場合（ステップＳ９２でＹｅｓ）には、ステップＳ９３の処理に進み、格納されていない場合（ステップＳ９２でＮｏ）には、ステップＳ９４の処理に進む。
【０１１４】
ステップＳ９３では、レジューム情報照合部３１９は、外部記録媒体読書装置１１３を介して、外部記録媒体１３１に格納された単数又は複数のレジューム情報ファイルＲＳＦを読み出し、ＲＡＭ１１４に記憶させる。そして、レジューム情報照合部３１９は、図１４のステップＳ９６の処理に進む。
【０１１５】
ステップＳ９４では、再生制御部１１７は、映像記録媒体読出装置１０１に映像記録媒体１３０が挿入されているか否かを確認する。再生制御部１１７は、挿入されていない場合（ステップＳ９４でＮｏ）には、ステップＳ９５の処理に進み、挿入されている場合（ステップＳ９４でＹｅｓ）には、図１４のステップＳ１１２の処理に進む。
【０１１６】
ステップＳ９５では、再生制御部１１７は、映像記録媒体１３０の挿入を促す画面の画面データを生成し、フレームバッファ１０９に書き込み、出力制御部１１０から出力させる。そして、再生制御部１１７は、ステップＳ９１の処理に戻る。なお、映像記録媒体１３０の挿入を促す画面の画像データは、ＲＯＭ１１５に予め格納されていたものであってもよい。
【０１１７】
図１４のステップＳ９６では、再生制御部１１７は、映像記録媒体読出装置１０１に映像記録媒体１３０が挿入されているか否かを確認する。再生制御部１１７は、挿入されている場合（ステップＳ９６でＹｅｓ）には、ステップＳ９７の処理に進み、挿入されていない場合（ステップＳ９６でＮｏ）には、ステップＳ１０６の処理に進む。
【０１１８】
ステップＳ９７では、再生制御部１１７は、映像記録媒体読出装置１０１を介して、映像記録媒体１３０から映像記録媒体識別情報を取得して、この映像記録媒体識別情報をＲＡＭ１１４に格納する。このとき、再生制御部１１７は、映像記録媒体１３０から番組構成情報及び再生制御情報も取得して、ＲＡＭ１１４に格納する。そして、再生制御部１１７は、これらの情報より仮想ファイルシステムＶＦＳを構成する。
【０１１９】
次に、レジューム情報照合部３１９は、ステップＳ９３で読み出したレジューム情報ファイルＲＳＦの中に、実行可能なものがあるか否かを判断する（Ｓ９８）。レジューム情報照合部３１９は、実行可能なレジューム情報ファイルＲＳＦがある場合（ステップＳ９８でＹｅｓ）には、ステップＳ９９の処理に進み、実行可能なレジューム情報ファイルＲＳＦがない場合（ステップＳ９８でＮｏ）には、ステップＳ１１２の処理に進む。
【０１２０】
ステップＳ９９では、レジューム情報照合部３１９は、実行可能と判断されたレジューム情報ファイルＲＳＦを、メニュー映像生成処理部３２３に通知する。例えば、レジューム情報照合部３１９は、実行可能と判断されたレジューム情報ファイルＲＳＦのレジューム識別情報ＲＳＦ１を通知する。
【０１２１】
次に、メニュー映像生成処理部３２３は、通知されたレジューム情報ファイルＲＳＦに基づいて、メニュー画面構成情報ＭＰＤを構成し、このメニュー画面構成情報ＭＰＤを元に、レジューム情報提示メニュー映像情報を生成し、ＲＡＭ１１４を通じてフレームバッファ１０９に書き込み、出力制御部１１０から出力する（Ｓ１００）。例えば、メニュー映像生成処理部３２３は、表示文字列として用いる再生中断時の日付と時刻をレジューム情報ファイルＲＳＦから取得し、メニュー画面構成情報ＭＰＤの表示文字列Ｄ５に書き込む。そして、メニュー映像生成処理部３２３は、表示文字列Ｄ５を、表示アイテム位置座標Ｄ４で示される座標に対応するフレームバッファ１０９上のアドレスを算出し、フレームバッファ１０９に書き込む。このとき、音声データデコーダ１０４、映像データデコーダ１０５、字幕データデコーダ１０６及びインタラクティブデータデコーダ１０７は動作していない。このようにして出力されたレジューム情報提示メニュー映像情報に対応するレジューム情報提示メニュー映像ＲＳＰがモニタ等の表示部に表示されると、ユーザは、レジューム情報ファイルＲＳＦが複数ある場合にどのレジューム情報を用いるかを選択することができるようになる。
【０１２２】
次に、メニュー映像生成処理部３２３は、操作部１１１を介して、ユーザより実行したいレジューム情報ファイルＲＳＦの選択の入力を受け付ける（Ｓ１０１）。メニュー映像生成処理部３２３は、選択されたレジューム情報ファイルＲＳＦをＲＡＭ１１４より抽出する。このようにして抽出されたレジューム情報ファイルＲＳＦは、再生制御部１１７に渡される。
【０１２３】
次に、再生制御部１１７は、選択されたレジューム情報ファイルＲＳＦに基づいて、レジューム再生を行う映像ストリームの読出しを開始する（Ｓ１０２）。このとき、メニュー映像生成処理部３２３は、レジューム情報提示メニュー映像情報の出力を停止する。
【０１２４】
次に、メニュー映像生成処理部３２３は、実行したレジューム情報を格納したレジューム情報ファイルＲＳＦを外部記録媒体１３１から削除するか否かを、ユーザに問い合わせる（Ｓ１０３）。例えば、メニュー映像生成処理部３２３は、実行したレジューム情報を削除するか否かを操作部１１１を介して選択することができるレジューム情報削除選択画面を表示するための画面データを生成し、フレームバッファ１０９に書き込み、出力制御部１１０から出力させる。なお、ステップＳ１０３の処理は、ここでは、レジューム再生の開始直前に行っているが、レジューム再生の終了時（終了指示の入力時）等に行ってもよい。
【０１２５】
そして、ユーザが、操作部１１１を介して、レジューム情報ファイルＲＳＦを削除することを選択した場合（Ｓ１０４でＹｅｓ）には、レジューム情報照合部３１９は、外部記録媒体読書装置１１３を介して、外部記録媒体１３１からステップＳ１０１で選択されたレジューム情報ファイルＲＳＦを削除する（Ｓ１０５）。なお、ユーザが、操作部１１１を介して、レジューム情報ファイルＲＳＦを削除しないことを選択した場合（Ｓ１０４でＮｏ）には、レジューム情報ファイルＲＳＦの削除は行われずに、レジューム再生が開始される。
【０１２６】
一方、ステップＳ９６において、映像記録媒体１３０が挿入されていないと判断された場合には、レジューム情報照合部３１９は、外部記録媒体１３１から取得した単数又は複数のレジューム情報ファイルＲＳＦのレジュームユーザ識別情報と、ステップＳ９０で得られた再生ユーザ識別情報を照合し、一致するレジューム情報ファイルＲＳＦを特定し、特定したレジューム情報ファイルＲＳＦを、メニュー映像生成処理部３２３に通知する（Ｓ１０６）。例えば、レジューム情報照合部３１９は、特定したレジューム情報ファイルＲＳＦのレジューム識別情報ＲＳＦ１を通知する。
【０１２７】
次に、メニュー映像生成処理部３２３は、通知されたレジューム情報ファイルＲＳＦに基づいて、メニュー画面構成情報ＭＰＤを構成し、このメニュー画面構成情報ＭＰＤに基づいて、レジューム情報提示メニュー映像情報を生成し、ＲＡＭ１１４を通じてフレームバッファ１０９に書き込み、出力制御部１１０から出力する（Ｓ１０７）。
【０１２８】
次に、メニュー映像生成処理部３２３は、操作部１１１を介して、ユーザより実行したいレジューム情報ファイルＲＳＦの選択の入力を受け付ける（Ｓ１０８）。メニュー映像生成処理部３２３は、選択されたレジューム情報ファイルＲＳＦをＲＡＭ１１４より抽出する。このようにして抽出されたレジューム情報ファイルＲＳＦは、再生制御部１１７に渡される。
【０１２９】
次に、メニュー映像生成処理部３２３は、ステップＳ１０８で選択されたレジューム情報ファイルＲＳＦのレジューム映像記録媒体識別情報欄ＲＳＦ２に格納されている映像記録媒体識別情報に基づいて、当該映像記録媒体識別情報で識別される映像記録媒体１３０の挿入を促す画面の画面データを生成して、フレームバッファ１０９に書き込み、出力制御部１１０から出力する（Ｓ１０９）。
【０１３０】
次に、再生制御部１１７は、映像記録媒体読出装置１０１に映像記録媒体１３０が挿入されたか否かを確認する（Ｓ１１０）。再生制御部１１７は、挿入された場合（ステップＳ１１０でＹｅｓ）には、ステップＳ１１１の処理に進み、挿入されない場合（ステップＳ１１０でＮｏ）には、ステップＳ１０９の処理に戻る。
【０１３１】
ステップＳ１１１では、レジューム情報照合部３１９は、ステップＳ１０８で選択されたレジューム情報ファイルＲＳＦのレジューム映像記録媒体識別情報と挿入された映像記録媒体１３０の映像記録媒体識別情報との照合を行い、これらの識別情報が一致するか否かを判断する。レジューム情報照合部３１９は、一致した場合（ステップＳ１１１でＹｅｓ）はステップＳ１０２の処理に進み、一致しなかった場合（ステップＳ１１１でＮｏ）には、ステップＳ１０９の処理に戻る。
【０１３２】
また、ステップＳ１１２では、再生制御部１１７は、ＲＡＭ１１４に格納されている仮想ファイルシステムＶＦＳに基づいて、映像記録媒体１３０の再生順序情報に従って、番組の最初から再生するように、映像記録媒体読出装置１０１に設定を行う。
【０１３３】
以上のように、実施の形態３によれば、レジューム再生を実行した後に対応するレジューム情報ファイルＲＳＦを削除しないため、一度実行したレジューム情報を再度使用することができる。また、レジューム情報提示メニュー映像情報を生成することで、複数のレジューム情報を視認可能な形に一覧表示することができ、ユーザは、複数のレジューム情報から再生を要求するレジューム情報を選択することができる。
【０１３４】
実施の形態３においては、再生中断時に出力していた映像のサムネイル画像ファイルがレジューム情報ファイルＲＳＦに含まれていれば、レジューム情報提示メニュー映像ＲＳＰにサムネイル画像を含めることができる。ここで、サムネイル画像ファイルは、レジューム情報ファイルＲＳＦに含まれていてもよいし、映像再生装置３００のＲＯＭ２１５等に保存し、このサムネイル画像ファイルのファイル名をレジューム情報ファイルＲＳＦに含めておいてもよい。これによって、ユーザに対してレジューム情報を視認しやすいレジューム情報提示メニュー映像ＲＳＰを提供することができる。この場合には、再生中断時にレジューム情報ファイルＲＳＦを構成する際、図５のステップＳ４７の処理前又は当該処理と同時に、出力中の映像の画像データをフレームバッファ１０９から取得し、サイズを変更してサムネイル画像ファイルを生成する処理が必要になる。
【０１３５】
以上に記載した実施の形態３では、実施の形態２に係る映像再生装置２００において、複数のレジューム情報ファイルＲＳＰから、ユーザがレジューム再生を望むレジューム情報ファイルＲＳＦを選択することができるようにしているが、例えば、実施の形態１に係る映像再生装置１００において、このような選択を行うことができるようにしてもよい。
【０１３６】
実施の形態４．
既に述べた実施の形態１から３では、外部記録媒体１３１からレジューム情報ファイルＲＳＦを読み出し、また再生中断時にレジューム情報ファイルＲＳＦを外部記録媒体１３１に追加格納するようにしている。この点、レジューム情報ファイルＲＳＦを追加格納する記録媒体が物理的に映像再生装置に接続されている必要は必ずしもない。実施の形態４では、レジューム情報ファイルＲＳＦの格納先がネットワーク上の情報記録装置である場合について説明する。
【０１３７】
図１５は、実施の形態４に係る映像再生装置４００の概略的な構成を示すブロック図である。映像再生装置４００は、映像記録媒体読出装置１０１と、バッファ１０２と、デマルチプレクサ１０３と、音声データデコーダ１０４と、映像データデコーダ１０５と、字幕データデコーダ１０６と、インタラクティブデータデコーダ１０７と、重畳部１０８と、フレームバッファ１０９と、出力制御部１１０と、操作部１１１と、操作検出部１１２と、外部記録媒体読書装置１１３と、ＲＡＭ１１４と、ＲＯＭ２１５と、ＣＰＵ４１６と、受光器２２５と、受光バッファ２２６と、ネットワークインタフェース（以下、ネットワークＩＦという）４２７とを備える。実施の形態４における映像再生装置４００は、ＣＰＵ４１６での処理の点、ネットワークＩＦ４２７が備えられている点、及び外部記録媒体読書装置１１３が備えられていない点において、実施の形態２における映像再生装置２００と異なっている。本実施の形態における映像再生装置４００は、ネットワークＩＦ４２７を介して、ネットワーク４６０と接続されている。また、ネットワーク４６０には、情報記録装置４５０が接続されている。そして、映像再生装置４００は、ネットワークＩＦ４２７を介して、ネットワーク４６０に接続された情報記録装置４５０からレジューム情報ファイルＲＳＦを取得し、また、この情報記録装置４５０にレジューム情報ファイルＲＳＦを格納する。この点、映像再生装置４００と、情報記録装置４５０とにより映像再生システムが構成される。
【０１３８】
ネットワークＩＦ４２７は、ネットワーク４６０との間で情報を送受信するための送受信部である。ネットワークＩＦ４２７は、Ｅｔｈｅｒｎｅｔ（登録商標：ＩＥＥＥ８０２．３）及びＷｉｆｉ（ＩＥＥＥ８０２．１１）等の公知の技術を利用することで構築することができる。例えば、ネットワーク４６０は、Ｅｔｈｅｒｎｅｔ又はＷｉｆｉの規格に対応した計算機や通信機器による、ローカルエリアネットワーク又はインターネット等の公知技術で構築することができる。
【０１３９】
ＣＰＵ４１６は、再生制御部１１７、ユーザ識別情報取得部２１８、レジューム情報処理部４２４、レジューム情報構成部１２０及び時計部１２２を備える。実施の形態４におけるＣＰＵ４１６は、レジューム情報処理部４２４が設けられている点、及びレジューム情報照合部１１９が設けられていない点において、実施の形態２におけるＣＰＵ２１６と異なっている。
【０１４０】
レジューム情報処理部４２４は、ネットワークＩＦ４２７を介して、再生映像記録媒体識別情報及び再生ユーザ識別情報に対応するレジューム情報ファイルＲＳＦを情報記録装置４５０から取得し、ＲＡＭ１１４に格納する処理を行う。
また、レジューム情報処理部４２４は、再生制御部１１７がレジューム再生に使用したレジューム情報ファイルＲＳＦを、ネットワークＩＦ４２７を介して、情報記録装置４５０から削除する処理を行う。
【０１４１】
情報記録装置４５０は、ネットワーク４６０に接続されており、ネットワーク４６０に接続された他の機器からの要求によって情報を送信又は受信し、このような情報を格納する計算機である。例えば、情報記録装置４５０は、ＦＴＰ（Ｆｉｌｅ  Ｔｒａｎｓｆｅｒ  Ｐｒｏｔｏｃｏｌ）、ＳＭＢ（Ｓｅｒｖｅｒ  Ｍｅｓｓａｇｅ  Ｂｌｏｃｋ）、ＩＭＡＰ４（Ｉｎｔｅｒｎｅｔ  Ｍｅｓｓａｇｅ  Ａｃｃｅｓｓ  Ｐｒｏｔｏｃｏｌ  ４）、ＳＭＴＰ（Ｓｉｍｐｌｅ  Ｍａｉｌ  Ｔｒａｎｓｆｅｒ  Ｐｒｏｔｏｃｏｌ）等の公知技術を利用できるサーバにより構成することができる。
【０１４２】
図１６は、情報記録装置４５０の概略的な構成を示すブロック図である。図示するように、情報記録装置４５０は、ネットワークインタフェース（以下、ネットワークＩＦという）４５１、記録媒体４５２、ＲＡＭ４５３及びＣＰＵ４５４を備える。
【０１４３】
ネットワークＩＦ４５１は、ネットワーク４６０との間で情報を送受信するためのインタフェースである。例えば、ネットワークＩＦ４５１は、映像再生装置４００から送られてきたレジューム情報ファイルＲＳＦを受信し、このレジューム情報ファイルＲＳＦをＲＡＭ４５３に与える。
【０１４４】
記録媒体４５２は、レジューム情報ファイルＲＳＦを格納する記録部である。なお、レジューム情報ファイルＲＳＦは、映像再生装置４００から送信されてきたものである。
【０１４５】
ＲＡＭ４５３は、ネットワークＩＦ４５１又は記録媒体４５２から送られてきたレジューム情報ファイルＲＳＭを格納する。
【０１４６】
ＣＰＵ４５４は、全体制御部４５５と、レジューム情報管理部４５６とを備える。
全体制御部４５５は、情報記録装置４５０全体の処理を制御する。
レジューム情報管理部４５６は、映像再生装置４００から送信されてきた再生映像記録媒体識別情報及び再生ユーザ識別情報の組と、記録媒体４５２に格納されているレジューム情報ファイルＲＳＦに含まれるレジューム映像記録媒体識別情報及びレジュームユーザ識別情報の組とを照合する。そして、レジューム情報管理部４５６は、これらの組に含まれる識別情報が各々一致する場合には、レジューム情報ファイルＲＳＦを実行可能であると判断する。そして、レジューム情報管理部４５６は、実行可能と判断したレジューム情報ファイルＲＳＦを、ネットワークＩＦ４５１を介して、照合した再生映像記録媒体識別情報及び再生ユーザ識別情報を送信してきた映像再生装置４００に送信する。
また、レジューム情報管理部４５６は、映像再生装置４００に送信したレジューム情報ファイルＲＳＦを記録媒体４５２から削除する。
さらに、レジューム情報管理部４５６は、映像再生装置４００から送信されてきたレジューム情報ファイルＲＳＦを記録媒体４５２に格納する。
【０１４７】
実施の形態４における、再生開始の動作について図１７に示すフローチャートを用いて説明する。なお、映像再生装置４００は、ネットワーク４６０における情報記録装置４５０の位置情報を取得済みであるとする。位置情報とは、例えばネットワーク４６０がインターネットである場合はＩＰアドレス又はＵＲＩ（Ｕｎｉｆｏｒｍ  Ｒｅｓｏｕｒｃｅ  Ｉｄｅｎｔｉｆｉｅｒ）である。
【０１４８】
ユーザが映像再生装置４００を起動すると、ユーザ識別情報取得部２１８が、映像再生装置１００を操作しているユーザのユーザ識別情報を再生ユーザ識別情報として取得する処理を行う（Ｓ１２０）。本実施の形態では、ユーザ識別情報取得部２１８は、実施の形態２と同様の処理により、再生ユーザ識別情報を取得する。
【０１４９】
次に、再生制御部１１７は、映像記録媒体読出装置１０１に映像記録媒体１３０が挿入されているか否かを確認する（Ｓ１２１）。再生制御部１１７は、挿入されていない場合（ステップＳ１２１でＮｏ）には、ステップＳ１２２の処理に進み、挿入されている場合（ステップＳ１２１でＹｅｓ）には、ステップＳ１２３の処理に進む。
【０１５０】
ステップＳ１２２では、再生制御部１１７は、映像記録媒体１３０の挿入を促す画面の画面データを生成し、フレームバッファ１０９に書き込み、出力制御部１１０から出力させる。そして、再生制御部１１７は、ステップＳ１２１の処理に戻る。
【０１５１】
ステップＳ１２３では、再生制御部１１７は、映像記録媒体読出装置１０１を介して、映像記録媒体１３０から映像記録媒体識別情報を取得して、この映像記録媒体識別情報をＲＡＭ１１４に格納する。このとき、再生制御部１１７は、映像記録媒体１３０から番組構成情報及び再生制御情報も取得して、ＲＡＭ１１４に格納する。そして、再生制御部１１７は、これらの情報より仮想ファイルシステムＶＦＳを構成する。
【０１５２】
次に、レジューム情報処理部４２４は、ステップＳ１２３で取得した映像記録媒体識別情報を再生映像記録媒体識別情報として、ステップＳ１２０で取得した再生ユーザ識別情報とともに、レジューム情報ファイル送信要求に含め、ネットワークＩＦ４２７を介して、このレジューム情報ファイル送信要求を情報記録装置４５０に送信する（Ｓ１２４）。
【０１５３】
映像再生装置４００よりレジューム情報ファイル送信要求を受信した情報記憶装置４５０では、ネットワークＩＦ４５１で受信されたレジューム情報ファイル送信要求が、ＲＡＭ４５３に格納される。そして、レジューム情報管理部４５６が、レジューム情報ファイル送信要求から再生映像記録媒体識別情報及び再生ユーザ識別情報を取得して、ＲＡＭ４５３に記憶する（Ｓ１３０）。
【０１５４】
次に、レジューム情報管理部４５６は、記録媒体４５２よりレジューム情報ファイルＲＳＦを読み出し、ＲＡＭ４５３に格納する（Ｓ１３１）。
【０１５５】
そして、レジューム情報管理部４５６は、ステップＳ１３１で読み出したレジューム情報ファイルＲＳＦの中に、実行可能なものがあるか否かを判断する（Ｓ１３２）。レジューム情報照合部１１９は、実行可能なレジューム情報ファイルＲＳＦがある場合（ステップＳ１３２でＹｅｓ）には、ステップＳ１３３の処理に進み、実行可能なレジューム情報ファイルＲＳＦがない場合（ステップＳ１３２でＮｏ）には、ステップＳ１３６の処理に進む。
【０１５６】
ステップＳ１３３では、レジューム情報管理部４５６は、実行可能なレジューム情報ファイルを１つ抽出する。なお、本実施の形態においては、実行可能なレジューム情報ファイルＲＳＦは１つだけであることを前提とするが、例えば、記録媒体４５２からのレジューム情報ファイルＲＳＦの削除が失敗した等の理由で、実行可能なレジューム情報ファイルが複数ある場合には、レジューム情報管理部４５６は、レジューム情報ファイルＲＳＦの再生中断日時欄ＲＳＦの日時を比較して、最も新しいものを抽出する。
【０１５７】
次に、レジューム情報管理部４５６は、ステップＳ１３３で抽出されたレジューム情報ファイルＲＳＦを、ネットワークＩＦ４５１を介して、映像再生装置４００に送信する（Ｓ１３４）。そして、レジューム情報管理部４５６は、送信したレジューム情報ファイルＲＳＦを、記録媒体４５２から削除する（Ｓ１３５）。
【０１５８】
一方、ステップＳ１３６では、レジューム情報管理部４５６は、ステップＳ１３２において、実行可能なレジューム情報ファイルＲＳＦがないと判断した場合には、該当ファイルなしの応答を、ネットワークＩＦ４５１を介して、映像再生装置４００に送信する。
【０１５９】
情報記憶装置４５０よりレジューム情報ファイルＲＳＦを受信した映像再生装置４００では、ネットワークＩＦ４２７で受信されたレジューム情報ファイルＲＳＦがＲＡＭ４５３に格納される。なお、このレジューム情報ファイルＲＳＦは、情報記録装置４５０側で照合が済んでおり、実行可能なレジューム情報である。従って、再生制御部１１７は、ＲＡＭ４５３に格納されたレジューム情報ファイルＲＳＦに基づいて、レジューム再生を行う映像ストリームの読出しを開始する（Ｓ１２５）。
【０１６０】
一方、情報記憶装置４５０より該当ファイルなしの応答を受信した映像再生装置４００では、再生制御部１１７が、ＲＡＭ１１４に格納されている仮想ファイルシステムＶＦＳに基づいて、映像記録媒体１３０の再生順序情報に従って、番組の最初から再生するように、映像記録媒体読出装置１０１に設定を行う。
【０１６１】
次に、本実施の形態における再生中断時の処理について、図１８のフローチャートを用いて説明する。再生中断時の処理を行うタイミングは再生開始より後であるから、再生映像記録媒体識別情報及び再生ユーザ識別情報ＰＵＩＤは、取得済み（図１７のステップＳ１２０及びステップＳ１２３）であるという前提で処理を開始する。
【０１６２】
ユーザが、操作部１１１を介して、再生中断の操作を行い、操作検出部１１２が、この操作を検出すると（Ｓ１４０でＹｅｓ）、レジューム情報送信処理が開始される。
【０１６３】
レジューム情報構成部１２０は、ＲＡＭ１１４に格納されている再生状態レジスタＰＣＲより、再生中の番組を示す番組識別情報を取得する（Ｓ１４１）。次に、レジューム情報構成部１２０は、再生状態レジスタＰＣＲより、映像ストリーム中のどの位置を再生しているかを示す再生位置情報を取得する（Ｓ１４２）。次に、レジューム情報構成部１２０は、時計部１２２より、日付と時刻を取得する（Ｓ１４３）。日付は、例えば、年月日である。次に、レジューム情報構成部１２０は、再生状態レジスタＰＣＲより、再生状態レジスタ値を取得する（Ｓ１４４）。なお、ステップＳ１４１〜Ｓ１４４で示す再生中の番組の番組識別情報、再生位置情報、日付と時刻、及び再生状態レジスタ値の内容を取得する順番については、図１８で示す順番に限定されるものではなく、どのような順番であってもよい。
【０１６４】
次に、レジューム情報構成部１２０は、レジューム情報ファイルＲＳＦを構成する（Ｓ１４５）。
【０１６５】
次に、レジューム情報処理部４２４は、ネットワークＩＦ４２７を介して、情報記録装置４５０に対して、情報記録装置４５０がレジューム情報ファイルを受信可能であることを確認するための問い合わせを送信する（Ｓ１４６）。
【０１６６】
このような問い合わせを受信した情報記録装置４５０では、レジューム情報管理部４５６は、レジューム情報が書き込み可能な状態であるか否かを確認する（Ｓ１５０）。そして、レジューム情報管理部４５６は、書込み可能な状態である場合（Ｓ１５０でＹｅｓ）には、ステップＳ１５１の処理に進み、書込み可能な状態ではない場合（Ｓ１５０でＮｏ）には、ステップＳ１５３の処理に進む。
【０１６７】
ステップＳ１５１では、レジューム情報管理部４５６は、ネットワークＩＦ４５１を介して、受信可能である旨を示す応答を返信する。
【０１６８】
受信可能である旨を示す応答を受信した映像再生装置４００では、レジューム情報処理部４２４が、レジューム情報ファイルＲＳＦの送信が可能であることを確認し（Ｓ１４７）、ステップＳ１４５で構成したレジューム情報ファイルＲＳＦを、情報記録装置４５０に送信する（Ｓ１４８）。なお、実施の形態１と同様、構成されたレジューム情報ファイルＲＳＦを情報記録装置４５０に送信するタイミングは、任意に選択することができる。例えば、再生中断後、レジューム情報ファイルＲＳＦが構成されてから直ちに送信してもよいし、映像再生装置４００全体の処理を停止する直前（ユーザから停止指示の入力があった時）でもよい。
【０１６９】
一方、レジューム情報管理部４５６は、ステップＳ１５０において、書込み可能な状態ではないと判断した場合には、ネットワークＩＦ４５１を介して、受信不可能である旨を示す応答を返信する（Ｓ１５３）。
【０１７０】
そして、受信不可能である旨を示す応答を受信した映像再生装置４００では、レジューム情報処理部４２４が、レジューム情報ファイルＲＳＦの送信が不可能であることを確認し（Ｓ１４９）、ステップＳ１４６の処理に戻る。
【０１７１】
図１８に示すフローチャートでは、ステップＳ１４９において、送信が不可能であることを確認した場合には、レジューム情報処理部４２４は、ステップＳ１４６に戻るようにしているが、例えば、このような場合でも、レジューム情報処理部４２４は、情報記録装置４５０にレジューム情報ファイルＲＳＦを送信するようにしてもよく、また、複数回、送信が不可能であることを確認した場合に、レジューム情報処理部４２４は、ステップＳ１４５で構成したレジューム情報ファイルＲＳＦを破棄するようにしてもよい。
【０１７２】
以上のように、本実施の形態では、ネットワーク４６０に接続された情報記録装置４５０にレジューム情報ファイルＲＳＦが格納されるため、実施の形態１〜３のように、ユーザが外部記録媒体１３１を持ち歩くことなく、レジューム情報を取り扱うことができるようになる。
【０１７３】
以上に記載した実施の形態４は、実施の形態２に係る映像再生装置２００において、レジューム情報ファイルＲＳＰを情報記録装置４５０で管理することができるようにしているが、例えば、実施の形態１に係る映像再生装置１００において、このような管理を行うことができるようにしてもよい。
【０１７４】
さらに、以上に記載した実施の形態４は、実施の形態２に係る映像再生装置２００において、レジューム情報ファイルＲＳＰを情報記録装置４５０で管理することができるようにしているが、例えば、実施の形態３に係る映像再生装置３００において、このような管理を行うことができるようにしてもよい。
例えば、映像再生装置４００は使用したレジューム情報ファイルＲＳＦを情報記録装置４５０の記録媒体４５２から削除するかどうかをユーザに問い合わせ、ユーザへの問い合わせの結果に応じて、このレジューム情報ファイルＲＳＦを記録媒体４５２に保存することができるようにすることも可能である。このような場合には、レジューム情報管理部４５６によって照合される実行可能なレジューム情報ファイルＲＳＦは複数生じることもあるため、レジューム情報ファイルＲＳＦを受信した後は、メニュー映像生成処理部３２３が、レジューム情報提示メニュー映像ＲＳＰを生成して、ユーザより実行するレジューム情報ファイルＲＳＦの選択を受け付けるようにすればよい。
また、映像再生装置４００のレジューム情報処理部４２４は、レジューム情報ファイルＲＳＦと合わせて、再生中断時にフレームバッファ１０９から出力中の映像の画像データを取得して、サムネイル画像を生成して情報記録装置４５０に送信してもよい。サムネイル画像は、レジューム情報ファイルＲＳＦの中に含まれていてもよく、また、サムネイル画像ファイルとして映像再生装置４００のＲＯＭ２１５に保存し、レジューム情報ファイルＲＳＦには、サムネイル画像ファイルのファイル名を含めるようにしてもよい。
以上のように、実施の形態３に係る映像再生装置３００において、レジューム情報ファイルＲＳＰを情報記録装置４５０で管理することができるようにすることで、ユーザがレジューム再生の実行時に用いるレジューム情報を選択することができるようになる。
【０１７５】
以上に記載した実施の形態４においては、情報記録装置４５０のレジューム情報管理部４５６で、識別情報の照合を行っているが、実施の形態１〜３と同様に、映像再生装置４００にレジューム情報照合部を備えて、識別情報の照合を行うようにしてもよい。このような場合には、情報記録装置４５０のレジューム情報管理部４５６は、記録媒体４５２に格納されている全てのレジューム情報ファイルＲＳＦを、映像再生装置４００に送信する必要がある。また、情報記憶装置４５０は、再生ユーザ識別情報及び再生映像記録媒体識別情報の何れか一方に対応するレジューム情報ファイルＲＳＦを、映像再生装置４００に送信するようにしてもよい。
【０１７６】
以上に記載した実施の形態１〜３では、レジューム情報ファイルＲＳＦを外部記録媒体１３１に格納するようにしているが、例えば、映像記録媒体１３０が書き換え可能な記録媒体である場合には、映像記録媒体１３０にレジューム情報ファイルＲＳＦを格納するようにしてもよい。このような場合には、映像記録媒体読出装置１０１の代わりに、映像記録媒体１３０との間で情報の読み出し及び書き込みを行うことのできる映像記録媒体読書装置を使用する必要がある。
【符号の説明】
【０１７７】
１００，２００，３００，４００：映像再生装置、  １０１：映像記録媒体読出装置、  １０２：バッファ、  １０３：デマルチプレクサ、  １０４：音声データデコーダ、  １０５：映像データデコーダ、  １０６：字幕データデコーダ、  １０７：インタラクティブデータデコーダ、  １０８：重畳部、  １０９：フレームバッファ、  １１０：出力制御部、  １１１：操作部、  １１２：操作検出部、  １１３：外部記録媒体読書装置、  １１４：ＲＡＭ、  １１５，２１５：ＲＯＭ、  １１６，２１６，３１６，４１６：ＣＰＵ、  １１７：再生制御部、  １１８，２１８：ユーザ識別情報取得部、  １１９，３１９：レジューム情報照合部、  １２０：レジューム情報構成部、  １２１：ユーザ情報登録部、  １２２：時計部、  ３２３：メニュー映像生成処理部、  ４２４：レジューム情報処理部、  ２２５：受光器、  ２２６：受光バッファ、  １３０：映像記録媒体、  １３１：外部記録媒体、  ２４０：送信端末、  ２４１：マイコン、  ２４２：ＲＯＭ、  ２４３：ＲＡＭ、  ２４４：シフトレジスタ、  ２４５：赤外線ＬＥＤ、  ２４６：操作部、  ２４７：操作検出部、  ４５０：情報記録装置、  ４５１：ネットワークＩＦ、  ４５２：記録媒体、  ４５３：ＲＡＭ、  ４５４：ＣＰＵ、  ４５５：全体制御部、  ４５６：レジューム情報管理部。
【図１】
2012034177.tif 000003
【図２】
2012034177.tif 000004
【図３】
2012034177.tif 000005
【図４】
2012034177.tif 000006
【図５】
2012034177.tif 000007
【図６】
2012034177.tif 000008
【図７】
2012034177.tif 000009
【図８】
2012034177.tif 000010
【図９】
2012034177.tif 000011
【図１０】
2012034177.tif 000012
【図１１】
2012034177.tif 000013
【図１２】
2012034177.tif 000014
【図１３】
2012034177.tif 000015
【図１４】
2012034177.tif 000016
【図１５】
2012034177.tif 000017
【図１６】
2012034177.tif 000018
【図１７】
2012034177.tif 000019
【図１８】
2012034177.tif 000020